(57)【要約】  一実施例において、システムには食料品の調理に使用されるエネルギー量を提供するために操作可能な熱源が含まれている。本システムにはさらに食料品の調理レシピを有する無線装置に対して第１の通信リンクを確立するように操作可能なプロセッサが備えられている。本プロセッサは第１の通信リンクを介して調理レシピに関する第１の温度の表示を受信するようにさらに操作可能である。本プロセッサは食品の調理に使用するために操作可能な調理装置システムに対して第２の通信リンクを確立し、前記第２の通信リンクを介して食品に関する現在温度の表示を受信するようにさらに操作することができる。本プロセッサは、前記第１の温度の表示と前記現在温度の表示に基づいて、熱源により提供されるエネルギー量を調節するようにさらに操作可能である。【選択図】図１Ｂ
2019509454.tif 000002
【特許請求の範囲】
【請求項１】
ａ．プロセッサを有する無線装置であって、
前記プロセッサは、実行されると：
ｉ．調理レシピの少なくとも一部を表示し、
ｉｉ．前記調理レシピに従って食料品を調理するために使用される熱源システムに対して第１の通信リンクを確立する、
ように操作可能である無線装置を備えたシステムであって、
ｂ．前記熱源システムが、
ｉ．調理レシピに従って食料品を調理するために利用されるエネルギー量を提供するように操作可能な熱源と、
ｉｉ．前記熱源に通信可能に接続されるプロセッサと、
を有し、前記熱源に通信可能に接続されるプロセッサは、実行されると：
１．調理装置システムに対して第２の通信リンクを確立し、
２．前記無線装置に対する第１の通信リンクを介して、調理レシピに関する第１の温度の表示を受信し、
３．前記調理装置システムに対する第２の通信リンクを介して、食料品に関する現在温度の表示を受信し、
４．前記第１の温度および前記現在温度の表示に基づいて、前記熱源により提供されるエネルギー量を調節し、
ｃ．前記調理システムが、
ｉ．調理レシピに従って食料品の調理に使用するために操作可能な調理装置と、
ｉｉ．  前記調理装置に接続され、食料品に関する前記現在温度の測定結果を提供するように操作可能な一以上の温度センサと、
ｉｉｉ．前記一以上の温度センサに通信可能に接続され、実行されると、食料品に関する前記現在温度の表示が、前記第２の通信リンクを介した前記熱源システムによる受信のために、通信されるように操作可能なプロセッサと、
を有していることを特徴とするシステム。
【請求項２】
前記熱源システムのプロセッサは、実行されると、
ａ．前記無線装置に対する前記第１の通信リンクを介して、前記第１の温度に関する持続時間の表示を受信し、
ｂ．前記無線装置に対する前記第１の通信リンクが切れたかどうかを判断し、
ｃ．前記無線装置に対する前記第１の通信リンクが切れたという判断に基づいて：
ｉ．前記第１の温度に関する持続時間が経過したかどうかを判断し、
ｉｉ．前記第１の温度に関する持続時間が経過していないという判断に基づいて、前記熱源に、調節されたエネルギー量の提供を継続させる、
ようにさらに操作可能であることを特徴とする請求項１に記載のシステム。
【請求項３】
前記熱源システムのプロセッサは、実行されると、
ａ．前記無線装置に対する前記第１の通信リンクを介して、保持時間の表示を受信し、
ｂ．前記第１の温度に関する持続時間が経過したという判断に基づいて、前記熱源により提供されるエネルギー量を、前記保持時間に基づいてさらに調節する、
ようにさらに操作可能であることを特徴とする請求項２に記載のシステム。
【請求項４】
前記熱源システムのプロセッサは、実行されると、
ａ．前記無線装置システムに対する第３の通信リンクを確立し、
ｂ．前記調理装置システムに対する前記第３の通信リンクを介して、食料品に関する現在温度の表示を受信し、
ｃ．食料品に関する現在温度のグラフィック表現を表示する、
ようにさらに操作可能であることを特徴とする請求項１に記載のシステム。
【請求項５】
ａ．食料品を調理するために利用されるエネルギー量を提供するように操作可能な熱源と、
ｂ．前記熱源に通信可能に接続されるプロセッサと、
を備え、前記熱源に通信可能に接続されるプロセッサは、実行されると：
ｉ．食料品の調理レシピを有する無線装置に対して第１の通信リンクを確立し、
ｉｉ．前記無線装置に対する前記第１の通信リンクを介して、調理レシピに関する第１の温度の表示を受信し、
ｉｉｉ．食料品の調理に使用するために操作可能な調理装置システムに対して第２の通信リンクを確立し、
ｉｖ．前記調理装置システムに対する前記第２の通信リンクを介して、食料品に関する現在温度の表示を受信し、
ｖ．前記第１の温度の表示および前記現在温度の表示に基づいて、前記熱源により提供されるエネルギー量を調節する、
ことを特徴とするシステム。
【請求項６】
前記プロセッサは、実行されると、
ａ．前記無線装置に対する前記第１の通信リンクを介して、前記第１の温度に関する持続時間の表示を受信し、
ｂ．前記無線装置に対する前記第１の通信リンクが切れたかどうかを判断し、
ｃ．前記無線装置に対する前記第１の通信リンクが切れたという判断に基づいて：
ｉ．前記第１の温度に関する持続時間が経過したかどうかを判断し、
ｉｉ．前記第１の温度に関する持続時間が経過していないという判断に基づいて、前記熱源に、調節されたエネルギー量の提供を継続させる、
ようにさらに操作可能であることを特徴とする請求項５に記載のシステム。
【請求項７】
前記プロセッサは、実行されると、
ａ．前記無線装置に対する前記第１の通信リンクを介して、保持時間の表示を受信し、
ｂ．前記第１の温度に関する持続時間が経過したという判断に基づいて、前記熱源により提供されるエネルギー量を、前記保持時間に基づいてさらに調節する、
ようにさらに操作可能であることを特徴とする請求項６に記載のシステム。
【請求項８】
前記プロセッサは、実行されると、
ａ．前記無線装置に対する前記第１の通信リンクが切れたというさらなる判断に基づいて、一以上の追加通信プロトコルをスキャンし、前記第１の通信リンクを再び確立しようと試みるようにさらに操作可能であることを特徴とする請求項６に記載のシステム。
【請求項９】
前記プロセッサは、実行されると、
ａ．前記無線装置に対する前記第１の通信リンクを介して、前記第１の温度に関する持続時間の表示を受信し、
ｂ．前記無線装置に対する前記第１の通信リンクを介して、調理レシピに関する第２の温度の表示を受信し、
ｃ．前記調理装置システムに対する前記第２の通信リンクを介して、食料品に関する次の現在温度の表示を受信し、
ｄ．前記第１の温度に関する持続時間が経過したかどうかを判断し、
ｅ．前記第１の温度に関する持続時間が経過したという判断に基づいて、前記熱源により提供されるエネルギー量を、前記第２の温度の表示および前記次の現在温度の表示に基づいてさらに調節する、
ようにさらに操作可能であることを特徴とする請求項５に記載のシステム。
【請求項１０】
前記プロセッサは、実行されると、
ａ．前記調理装置システムに対する前記第２の通信リンクを介して、前記調理装置システムからくるアドバタイズメントパケットを受信し、
ｂ．前記アドバタイズメントパケットの受信を受けて、前記調理装置システムに対する前記第２の通信リンクを介して、前記調理装置システムからの追加情報のリクエストを送信し、
ｃ．前記追加情報のリクエストの送信を受けて、前記調理装置システムに対する前記第２の通信リンクを介して、前記調理装置システムからくるスキャン応答パケットを受信し、前記スキャン応答パケットには、食料品に関する前記現在温度の表示が含まれている、
ようにさらに操作可能であることを特徴とする請求項５に記載のシステム。
【請求項１１】
前記プロセッサは、実行されると、
ａ．前記無線装置に対する前記第１の通信リンクを介して、前記調理装置システムの固有識別子を受信し、
ｂ．  前記無線装置から受信された前記調理装置システムの固有識別子に基づいて、前記調理装置システムに対する前記第２の通信リンクを確立する、
ようにさらに操作可能であることを特徴とする請求項５に記載のシステム。
【請求項１２】
前記調理装置システムに調理装置が備えられ、前記調理装置が調理鍋、調理平鍋、調理トレイ、または調理器具であることを特徴とする請求項５に記載のシステム。
【請求項１３】
ａ．熱源と通信可能に接続されたプロセッサを用いて、食料品の調理レシピを有する無線装置に対して第１の通信リンクを確立するステップであって、前記熱源が食料品を調理するために利用されるエネルギー量を提供するように操作可能であるステップと、
ｂ．前記プロセッサを用いて、前記無線装置に対する前記第１の通信リンクを介して、調理レシピに関する第１の温度の表示を受信するステップと、
ｃ．前記プロセッサを用いて、食料品の調理に使用するために操作可能な調理装置システムに対して第２の通信リンクを確立するステップと、
ｄ．前記プロセッサを用いて、前記調理装置システムに対する前記第２の通信リンクを介して、食料品に関する現在温度の表示を受信するステップと、
ｅ．前記第１の温度の表示および前記現在温度の表示に基づいて、前記プロセッサを用いて、前記熱源により提供されるエネルギー量を調節するステップと、
を備えることを特徴とする方法。
【請求項１４】
ａ．前記プロセッサを用いて、前記無線装置に対する前記第１の通信リンクを介して、前記第１の温度に関する持続時間の表示を受信するステップと、
ｂ．前記プロセッサを用いて、前記無線装置に対する前記第１の通信リンクが切れたかどうかを判断するステップと、
ｃ．前記無線装置に対する前記第１の通信リンクが切れたという判断に基づいて：
ｉ．前記第１の温度に関する持続時間が経過したかどうかを、前記プロセッサを用いて判断し、
ｉｉ．前記第１の温度に関する持続時間が経過していないという判断に基づいて、前記プロセッサを用いて、前記熱源に、調節されたエネルギー量の提供を継続させる、
ステップと、
を備えることを特徴とする請求項１３に記載の方法。
【請求項１５】
ａ．前記プロセッサを用いて、前記無線装置に対する前記第１の通信リンクを介して、保持時間の表示を受信するステップと、
ｂ．前記プロセッサを用いて、前記第１の温度に関する持続時間が経過したという判断に基づいて、前記熱源により提供されるエネルギー量を、前記保持時間に基づいてさらに調節するステップと、
をさらに備えることを特徴とする請求項１４に記載の方法。
【請求項１６】
ａ．前記無線装置に対する前記第１の通信リンクが切れたという判断にさらに基づいて、前記プロセッサを用いて、一以上の追加通信プロトコルをスキャンし、前記第１の通信リンクを再び確立しようと試みるステップ、
をさらに備えることを特徴とする請求項１４に記載の方法。
【請求項１７】
ａ．前記プロセッサを用いて、前記無線装置に対する前記第１の通信リンクを介して、前記第１の温度に関する持続時間の表示を受信するステップと、
ｂ．前記プロセッサを用いて、前記無線装置に対する前記第１の通信リンクを介して、調理レシピに関する第２の温度の表示を受信するステップと、
ｃ．前記プロセッサを用いて、前記調理装置システムに対する前記第２の通信リンクを介して、食料品に関する次の現在温度の表示を受信するステップと、
ｄ．前記プロセッサを用いて、前記第１の温度に関する持続時間が経過したかどうかを判断するステップと、
ｅ．前記第１の温度に関する持続時間が経過したという判断に基づいて、前記熱源により提供されるエネルギー量を、前記プロセッサを用いて、前記第２の温度の表示および前記次の現在温度の表示に基づいてさらに調節するステップと、
をさらに備えることを特徴とする請求項１３に記載の方法。
【請求項１８】
ａ．前記プロセッサを用いて、前記調理装置システムに対する前記第２の通信リンクを介して、前記調理装置システムからくるアドバタイズメントパケットを受信するステップと、
ｂ．前記プロセッサを用いて、前記アドバタイズメントパケットの受信を受けて、前記調理装置システムに対する前記第２の通信リンクを介して、前記調理装置システムからの追加情報のリクエストを送信するステップと、
ｃ．前記プロセッサを用いて、前記追加情報のリクエストの送信を受けて、前記調理装置システムに対する前記第２の通信リンクを介して、前記調理装置システムからくるスキャン応答パケットを受信し、前記スキャン応答パケットには食料品に関する現在温度の表示が含まれているステップと、
をさらに備えることを特徴とする請求項１３に記載の方法。
【請求項１９】
ａ．前記プロセッサを用いて、前記無線装置に対する前記第１の通信リンクを介して、前記調理装置システムの固有識別子を受信するステップと、
ｂ．前記プロセッサを用いて、前記無線装置から受信された前記調理装置システムの固有識別子に基づいて、前記調理装置システムに対する前記第２の通信リンクを確立するステップと、
をさらに備えることを特徴とする請求項１３に記載の方法。
【請求項２０】
前記調理装置システムに調理装置が備えられ、前記調理装置が調理鍋、調理平鍋、調理トレイ、または調理器具であることを特徴とする請求項１３に記載の方法。
【請求項２１】
プロセッサを備えた無線装置であって、前記プロセッサは、実行されると：
ｉ．調理レシピの少なくとも一部を表示し、
ｉｉ．調理レシピに従って食料品を調理するために使用される熱源システムに対して第１の通信リンクを確立し、
ｉｉｉ．前記第１の通信リンクを介して、一以上の調理指示を、前記熱源システムに送信し、前記一以上の調理指示は、前記熱源システムに、食料品を調理するために前記熱源システムの熱源により提供されるエネルギー量を、調節させるように構成され、
ｉｖ．調理装置システムに対する第２の通信リンクを確立し、前記調理装置システムは、調理レシピに従って食料品を調理するのに使用するために操作可能な調理装置を有し、さらに前記調理装置システムは、前記調理装置に接続され食料品に関する現在温度の測定結果を提供するように操作可能な一以上の温度センサ、を有しており、
ｖ．前記第２の通信リンクを介して調理装置システムに関連付けられた固有識別子、または前記第１の通信リンクを介して前記熱源システムに関連付けられた固有識別子を受信し、
ｖｉ．前記調理装置システムに関連付けられた固有識別子を、前記第１の通信リンクを介して前記熱源システムに送信するか、または前記熱源システムに関連付けられた固有識別子を、前記第２の通信リンクを介して前記調理装置システムに送信し、
ｖｉｉ．前記熱源システムが、前記調理装置システムに関連付けられた固有識別子を使用することで、前記調理装置システムに対して第３の通信リンクを確立するように操作可能であるか、または前記調理装置システムが、前記熱源システムに関連付けられた固有識別子を使用することで、前記調熱源システムに対して前記第３の通信リンクを確立するように操作可能である、
ことを特徴とする無線装置。
【請求項２２】
前記プロセッサは、実行されると、
ａ．前記熱源システムに対する前記第１の通信リンクが切れたかどうかを判断し、
ｂ．前記熱源システムに対する前記第１の通信リンクが切れたという判断に基づいて、一以上の追加通信プロトコルをスキャンし、前記第１の通信リンクを再び確立しようと試みる、
さらなる操作が可能であることを特徴とする請求項２１に記載の無線装置。
【請求項２３】
ａ．調理レシピに従って食料品の調理に使用するために操作可能な調理装置と、
ｂ．前記調理装置に接続され、食料品に関する現在温度の測定結果を提供するように操作可能な、一以上の温度センサと、
ｃ．前記一以上の温度センサに通信可能に接続されるプロセッサと、
を備え、前記プロセッサは、実行されると、
ｉ．調理レシピの少なくとも一部を表示するように操作可能な無線装置に対して第１の通信リンクを確立し、
ｉｉ．調理レシピに従って食料品を調理するのに使用されるエネルギー量を提供するように操作可能な熱源を有する熱源システムに対して第２の通信リンクを確立し、
ｉｉｉ．前記第２の通信リンクを介して、食料品に関する前記現在温度の表示を、前記熱源システムによる受信のために送信する、
ように操作可能であって、前記現在温度の表示は、食料品に関する前記現在温度が料理レシピに含まれる温度と異なる場合に、前記熱源システムの熱源により食料品に提供されるエネルギー量を、前記熱源システムに調節させるように、構成されていることを特徴とするシステム。
【請求項２４】
前記プロセッサは、実行されると、
ａ．食料品に関する前記現在温度の表示をスキャン応答パケットに挿入し、
ｂ．前記熱源システムによる受信のために前記スキャン応答パケットを送信する、
ようにさらに操作可能であることを特徴とする請求項２３に記載のシステム。
【請求項２５】
前記プロセッサは、実行されると、食料品に関する前記現在温度の表示を、前記スキャン応答パケットのメーカー特有のアドバタイジングデータフィールドの中に挿入するようにさらに操作可能であることを特徴とする請求項２４に記載のシステム。
【請求項２６】
前記プロセッサは、実行されると、
ａ．食料品に関する次の現在温度の表示を次のスキャン応答パケットの中に挿入し、ここで食料品に関する前記次の現在温度の表示は、食料品に関する前記現在温度の表示とは異なるものであって、
ｂ．前記熱源システムによる受信のために前記次のスキャン応答パケットを送信する、
ようにさらに操作可能であることを特徴とする請求項２３に記載のシステム。
【請求項２７】
前記プロセッサは、実行されると、前記第１の通信リンクを介して、食料品に関する前記現在温度の表示を、前記無線装置による受信のために送信するようにさらに操作可能であることを特徴とする請求項２３に記載のシステム。
【請求項２８】
前記調理装置が、調理鍋、調理平鍋、調理トレイ、または調理器具であることを特徴とする請求項２３に記載のシステム。
【請求項２９】
前記調理装置が、スプーン、トング、フライ返し、または測定プローブであることを特徴とする請求項２３に記載のシステム。
【請求項３０】
前記プロセッサが前記調理装置のハンドルの内部もしくは表面に設けられていることを特徴とする請求項２３に記載のシステム。
【請求項３１】
前記調理装置に接続され、食料品に関する現在の追加情報の測定結果を提供するように操作可能な一以上の追加センサをさらに備え、前記現在の追加情報として、食料品に関する現在の容量、食料品に関する現在の重量、食料品に関する現在の水分量、食料品に関する現在の液面レベル、食料品に関する現在の圧力、が含まれていることを特徴とする請求項２３に記載のシステム。
【請求項３２】
前記プロセッサは、実行されると、
ａ．食料品に関する前記現在温度の表示をスキャン応答パケットに挿入し、
ｂ．食料品に関する前記現在の追加情報の表示を前記スキャン応答パケットに挿入し、
ｃ．前記熱源システムによる受信のために前記スキャン応答パケットを送信する、
ようにさらに操作可能であることを特徴とする請求項３１に記載のシステム。
【請求項３３】
前記プロセッサは、実行されると、前記第１の通信リンクを介して、食料品に関する前記現在の追加情報の表示を、前記無線装置による受信のために送信するようにさらに操作可能であることを特徴とする請求項３１に記載のシステム。
【発明の詳細な説明】
【技術分野】
【０００１】
本開示は、概して調理機器の分野に関し、より具体的には調理システム用のユーザーインターフェースに関する。
【背景技術】
【０００２】
従来、ユーザーは、つまみを使用して手動で熱源をオンにし、熱源の上方に食品を配置し、食品の調理が完了したときを予想（または測定あるいは時間計測）することにより、食品を調理している。しかしながら、このような従来の調理技術では不十分となる場合がある。
【発明の概要】
【０００３】
本発明の第１の態様は、プロセッサを有する無線装置であって、前記プロセッサは、実行されると：調理レシピの少なくとも一部を表示し、前記調理レシピに従って食料品を調理するために使用される熱源システムに対して第１の通信リンクを確立する、ように操作可能である無線装置を備えたシステムであって、前記熱源システムが、調理レシピに従って食料品を調理するために利用されるエネルギー量を提供するように操作可能な熱源と、前記熱源に通信可能に接続されるプロセッサと、を有し、前記熱源に通信可能に接続されるプロセッサは、実行されると：調理装置システムに対して第２の通信リンクを確立し、前記無線装置に対する第１の通信リンクを介して、調理レシピに関する第１の温度の表示を受信し、前記調理装置システムに対する第２の通信リンクを介して、食料品に関する現在温度の表示を受信し、前記第１の温度および前記現在温度の表示に基づいて、前記熱源により提供されるエネルギー量を調節し、前記調理システムが、調理レシピに従って食料品の調理に使用するために操作可能な調理装置と、前記調理装置に接続され、食料品に関する前記現在温度の測定結果を提供するように操作可能な一以上の温度センサと、前記一以上の温度センサに通信可能に接続され、実行されると、食料品に関する前記現在温度の表示が、前記第２の通信リンクを介した前記熱源システムによる受信のために、通信されるように操作可能なプロセッサと、を有していることを特徴とするシステムにより達成される。
【０００４】
本発明の別の態様は、前記熱源システムのプロセッサは、実行されると、前記無線装置に対する前記第１の通信リンクを介して、前記第１の温度に関する持続時間の表示を受信し、前記無線装置に対する前記第１の通信リンクが切れたかどうかを判断し、前記無線装置に対する前記第１の通信リンクが切れたという判断に基づいて：前記第１の温度に関する持続時間が経過したかどうかを判断し、前記第１の温度に関する持続時間が経過していないという判断に基づいて、前記熱源に、調節されたエネルギー量の提供を継続させる、ようにさらに操作可能であることを特徴とする上記何れかのシステムである。
【０００５】
本発明の別の態様は、前記熱源システムのプロセッサは、実行されると、前記無線装置に対する前記第１の通信リンクを介して、保持時間の表示を受信し、前記第１の温度に関する持続時間が経過したという判断に基づいて、前記熱源により提供されるエネルギー量を、前記保持時間に基づいてさらに調節する、ようにさらに操作可能であることを特徴とする上記何れかのシステムである。
【０００６】
本発明の別の態様は、前記熱源システムのプロセッサは、実行されると、前記無線装置システムに対する第３の通信リンクを確立し、前記調理装置システムに対する前記第３の通信リンクを介して、食料品に関する現在温度の表示を受信し、食料品に関する現在温度のグラフィック表現を表示する、ようにさらに操作可能であることを特徴とする上記何れかのシステムである。
【０００７】
本発明の第２の態様は、食料品を調理するために利用されるエネルギー量を提供するように操作可能な熱源と、前記熱源に通信可能に接続されるプロセッサと、を備え、前記熱源に通信可能に接続されるプロセッサは、実行されると：食料品の調理レシピを有する無線装置に対して第１の通信リンクを確立し、前記無線装置に対する前記第１の通信リンクを介して、調理レシピに関する第１の温度の表示を受信し、食料品の調理に使用するために操作可能な調理装置システムに対して第２の通信リンクを確立し、前記調理装置システムに対する前記第２の通信リンクを介して、食料品に関する現在温度の表示を受信し、前記第１の温度の表示および前記現在温度の表示に基づいて、前記熱源により提供されるエネルギー量を調節する、ことを特徴とするシステムにより達成される。
【０００８】
本発明の別の態様は、前記プロセッサは、実行されると、前記無線装置に対する前記第１の通信リンクを介して、前記第１の温度に関する持続時間の表示を受信し、前記無線装置に対する前記第１の通信リンクが切れたかどうかを判断し、前記無線装置に対する前記第１の通信リンクが切れたという判断に基づいて：前記第１の温度に関する持続時間が経過したかどうかを判断し、前記第１の温度に関する持続時間が経過していないという判断に基づいて、前記熱源に、調節されたエネルギー量の提供を継続させる、ようにさらに操作可能であることを特徴とする上記何れかのシステムである。
【０００９】
本発明の別の態様は、前記プロセッサは、実行されると、前記無線装置に対する前記第１の通信リンクを介して、保持時間の表示を受信し、前記第１の温度に関する持続時間が経過したという判断に基づいて、前記熱源により提供されるエネルギー量を、前記保持時間に基づいてさらに調節する、ようにさらに操作可能であることを特徴とする上記何れかのシステムである。
【００１０】
本発明の別の態様は、前記プロセッサは、実行されると、前記無線装置に対する前記第１の通信リンクが切れたというさらなる判断に基づいて、一以上の追加通信プロトコルをスキャンし、前記第１の通信リンクを再び確立しようと試みるようにさらに操作可能であることを特徴とする上記何れかのシステムである。
【００１１】
本発明の別の態様は、前記プロセッサは、実行されると、前記無線装置に対する前記第１の通信リンクを介して、前記第１の温度に関する持続時間の表示を受信し、前記無線装置に対する前記第１の通信リンクを介して、調理レシピに関する第２の温度の表示を受信し、前記調理装置システムに対する前記第２の通信リンクを介して、食料品に関する次の現在温度の表示を受信し、前記第１の温度に関する持続時間が経過したかどうかを判断し、前記第１の温度に関する持続時間が経過したという判断に基づいて、前記熱源により提供されるエネルギー量を、前記第２の温度の表示および前記次の現在温度の表示に基づいてさらに調節する、ようにさらに操作可能であることを特徴とする上記何れかのシステムである。
【００１２】
本発明の別の態様は、前記プロセッサは、実行されると、前記調理装置システムに対する前記第２の通信リンクを介して、前記調理装置システムからくるアドバタイズメントパケットを受信し、前記アドバタイズメントパケットの受信を受けて、前記調理装置システムに対する前記第２の通信リンクを介して、前記調理装置システムからの追加情報のリクエストを送信し、前記追加情報のリクエストの送信を受けて、前記調理装置システムに対する前記第２の通信リンクを介して、前記調理装置システムからくるスキャン応答パケットを受信し、前記スキャン応答パケットには、食料品に関する前記現在温度の表示が含まれている、ようにさらに操作可能であることを特徴とする上記何れかのシステムである。
【００１３】
本発明の別の態様は、前記プロセッサは、実行されると、前記無線装置に対する前記第１の通信リンクを介して、前記調理装置システムの固有識別子を受信し、前記無線装置から受信された前記調理装置システムの固有識別子に基づいて、前記調理装置システムに対する前記第２の通信リンクを確立する、ようにさらに操作可能であることを特徴とする上記何れかのシステムである。
【００１４】
本発明の別の態様は、前記調理装置システムに調理装置が備えられ、前記調理装置が調理鍋、調理平鍋、調理トレイ、または調理器具であることを特徴とする上記何れかのシステムである。
【００１５】
本発明の第３の態様は熱源と通信可能に接続されたプロセッサを用いて、食料品の調理レシピを有する無線装置に対して第１の通信リンクを確立するステップであって、前記熱源が食料品を調理するために利用されるエネルギー量を提供するように操作可能であるステップと、前記プロセッサを用いて、前記無線装置に対する前記第１の通信リンクを介して、調理レシピに関する第１の温度の表示を受信するステップと、前記プロセッサを用いて、食料品の調理に使用するために操作可能な調理装置システムに対して第２の通信リンクを確立するステップと、前記プロセッサを用いて、前記調理装置システムに対する前記第２の通信リンクを介して、食料品に関する現在温度の表示を受信するステップと、前記第１の温度の表示および前記現在温度の表示に基づいて、前記プロセッサを用いて、前記熱源により提供されるエネルギー量を調節するステップと、を備えることを特徴とする方法により達成される。
【００１６】
本発明の別の態様は前記プロセッサを用いて、前記無線装置に対する前記第１の通信リンクを介して、前記第１の温度に関する持続時間の表示を受信するステップと、前記プロセッサを用いて、前記無線装置に対する前記第１の通信リンクが切れたかどうかを判断するステップと、前記無線装置に対する前記第１の通信リンクが切れたという判断に基づいて：前記第１の温度に関する持続時間が経過したかどうかを、前記プロセッサを用いて判断し、前記第１の温度に関する持続時間が経過していないという判断に基づいて、前記プロセッサを用いて、前記熱源に、調節されたエネルギー量の提供を継続させる、ステップとを備えることを特徴とする上記何れかの方法である。
【００１７】
本発明の別の態様は前記プロセッサを用いて、前記無線装置に対する前記第１の通信リンクを介して、保持時間の表示を受信するステップと、前記プロセッサを用いて、前記第１の温度に関する持続時間が経過したという判断に基づいて、前記熱源により提供されるエネルギー量を、前記保持時間に基づいてさらに調節するステップと、をさらに備えることを特徴とする上記何れかの方法である。
【００１８】
本発明の別の態様は、前記無線装置に対する前記第１の通信リンクが切れたという判断にさらに基づいて、前記プロセッサを用いて、一以上の追加通信プロトコルをスキャンし、前記第１の通信リンクを再び確立しようと試みるステップをさらに備えることを特徴とする上記何れかの方法である。
【００１９】
本発明の別の態様は前記プロセッサを用いて、前記無線装置に対する前記第１の通信リンクを介して、前記第１の温度に関する持続時間の表示を受信するステップと、前記プロセッサを用いて、前記無線装置に対する前記第１の通信リンクを介して、調理レシピに関する第２の温度の表示を受信するステップと、前記プロセッサを用いて、前記調理装置システムに対する前記第２の通信リンクを介して、食料品に関する次の現在温度の表示を受信するステップと、前記プロセッサを用いて、前記第１の温度に関する持続時間が経過したかどうかを判断するステップと、前記第１の温度に関する持続時間が経過したという判断に基づいて、前記熱源により提供されるエネルギー量を、前記プロセッサを用いて、前記第２の温度の表示および前記次の現在温度の表示に基づいてさらに調節するステップと、をさらに備えることを特徴とする上記何れかの方法である。
【００２０】
本発明の別の態様は前記プロセッサを用いて、前記調理装置システムに対する前記第２の通信リンクを介して、前記調理装置システムからくるアドバタイズメントパケットを受信するステップと、前記プロセッサを用いて、前記アドバタイズメントパケットの受信を受けて、前記調理装置システムに対する前記第２の通信リンクを介して、前記調理装置システムからの追加情報のリクエストを送信するステップと、前記プロセッサを用いて、前記追加情報のリクエストの送信を受けて、前記調理装置システムに対する前記第２の通信リンクを介して、前記調理装置システムからくるスキャン応答パケットを受信し、前記スキャン応答パケットには食料品に関する現在温度の表示が含まれているステップと、をさらに備えることを特徴とする上記何れかの方法である。
【００２１】
本発明の別の態様は、前記プロセッサを用いて、前記無線装置に対する前記第１の通信リンクを介して、前記調理装置システムの固有識別子を受信するステップと、前記プロセッサを用いて、前記無線装置から受信された前記調理装置システムの固有識別子に基づいて、前記調理装置システムに対する前記第２の通信リンクを確立するステップと、をさらに備えることを特徴とする上記何れかの方法である。
【００２２】
本発明の別の態様は、前記調理装置システムに調理装置が備えられ、前記調理装置が調理鍋、調理平鍋、調理トレイ、または調理器具であることを特徴とする上記何れかの方法である。
【００２３】
本発明の第４の態様は、プロセッサを備えたシステムであって、前記プロセッサは、実行されると：調理レシピの少なくとも一部を表示し、調理レシピに従って食料品を調理するために使用される熱源システムに対して第１の通信リンクを確立し、前記第１の通信リンクを介して、一以上の調理指示を、前記熱源システムに送信し、前記一以上の調理指示は、前記熱源システムに、食料品を調理するために前記熱源システムの熱源により提供されるエネルギー量を、調節させるように構成され、調理装置システムに対する第２の通信リンクを確立し、前記調理装置システムは、調理レシピに従って食料品を調理するのに使用するために操作可能な調理装置を有し、さらに前記調理装置システムは、前記調理装置に接続され、食料品に関する現在温度の測定結果を提供するように操作可能な一以上の温度センサを有しており、前記第２の通信リンクを介して調理装置システムに関連付けられた固有識別子、または前記第１の通信リンクを介して前記熱源システムに関連付けられた固有識別子を受信し、前記調理装置システムに関連付けられた固有識別子を、前記第１の通信リンクを介して前記熱源システムに送信するか、または前記熱源システムに関連付けられた固有識別子を、前記第２の通信リンクを介して前記調理装置システムに送信し、前記熱源システムが、前記調理装置システムに関連付けられた固有識別子を使用することで、前記調理装置システムに対して第３の通信リンクを確立するように操作可能であるか、または前記調理装置システムが、前記熱源システムに関連付けられた固有識別子を使用することで、前記調熱源システムに対して前記第３の通信リンクを確立するように操作可能である、ことを特徴とするシステムにより達成される。
【００２４】
本発明の別の態様は、前記プロセッサは、実行されると、前記熱源システムに対する前記第１の通信リンクが切れたかどうかを判断し、前記熱源システムに対する前記第１の通信リンクが切れたという判断に基づいて、一以上の追加通信プロトコルをスキャンし、前記第１の通信リンクを再び確立しようと試みる、さらなる操作が可能であることを特徴とする上記何れかのシステムである。
【００２５】
本発明の第５の態様は調理レシピに従って食料品の調理に使用するために操作可能な調理装置と、前記調理装置に接続され、食料品に関する現在温度の測定結果を提供するように操作可能な、一以上の温度センサと、前記一以上の温度センサに通信可能に接続されるプロセッサと、を備え、前記プロセッサは、実行されると、調理レシピの少なくとも一部を表示するように操作可能な無線装置に対して第１の通信リンクを確立し、調理レシピに従って食料品を調理するのに使用されるエネルギー量を提供するように操作可能な熱源を有する熱源システムに対して第２の通信リンクを確立し、前記第２の通信リンクを介して、食料品に関する前記現在温度の表示を、前記熱源システムによる受信のために送信する、ように操作可能であって、前記現在温度の表示は、食料品に関する前記現在温度が料理レシピに含まれる温度と異なる場合に、前記熱源システムの熱源により食料品に提供されるエネルギー量を、前記熱源システムに調節させるように、構成されていることを特徴とするシステムにより達成される。
【００２６】
本発明の別の態様は、前記プロセッサは、実行されると、食料品に関する前記現在温度の表示をスキャン応答パケットに挿入し、前記熱源システムによる受信のために前記スキャン応答パケットを送信する、ようにさらに操作可能であることを特徴とする上記何れかのシステムである。
【００２７】
本発明の別の態様は、前記プロセッサは、実行されると、前記第１の通信リンクを介して、食料品に関する前記現在温度の表示を、前記無線装置による受信のために送信するようにさらに操作可能であることを特徴とする上記何れかのシステムである。
【００２８】
本発明の第６の態様は、ポータブル電子調理本、  調理装置システム、 および熱源システムを有する調理システムを提供するステップを備えた方法により達成される。前記熱源システムは、調理装置システムの環境に関連付けされた温度の測定結果に応じて、調理装置システムに与えられるエネルギーを変更するように作動する。この方法には、前記電子調理本および前記調理装置システムに対して第１の通信リンクを形成するステップと、前記電子調理本および前記熱源システムに対して第２の通信リンクを形成するステップと、前記第１の通信リンクを用いて、前記調理装置システムの固有識別子を、前記電子調理本から前記熱源システムに通信するステップと、および／または前記第２の通信リンクを用いて、前記熱源システムの固有識別子を、前記電子調理本から調理サポートシステムに通信するステップと、を含むことができる。本方法にはまた、リクエストが熱源システムから前記調理装置システムに、または前記調理装置システムおよび熱源システムに伝達された後に、前記電子調理本からのリクエストを受けて、前記調理装置システムと前記熱源システムとの間に第３の通信リンクを形成するステップと、前記第２の通信リンクを用いて、前記熱源システムに、前記第３の通信リンクを介して前記調理装置システムから温度測定値を受信するように指示するステップと、前記熱源システムに対して、前記調理装置システムが、第１の継続時間だけ温度を第１の値に保つ一以上のステップを有する時間温度スケジュールに保つように指示するステップと、が備えられ、前記熱源システムは、前記調理装置システムの温度が前記第１の値に達して、前記第１の継続時間の間だけこの値に制御されるように前記熱源システムが出力を変更するように操作される。
【００２９】
本発明の第７の態様は、プロセッサが設けられた無線装置を有するシステムであって、前記プロセッサは、実行されると：調理レシピの少なくとも一部を表示し、調理レシピに従って食料品を調理するために使用される熱源システムに対して第１の通信リンクを確立する、システムにより達成される。前記熱源システムは、調理レシピに従って食料品を調理するために利用されるエネルギー量を提供するように操作可能な熱源と、前記熱源に通信可能に接続されるプロセッサと、を有し、前記熱源に通信可能に接続されるプロセッサは、実行されると：調理装置システムに対して第２の通信リンクを確立し、前記無線装置に対する第１の通信リンクを介して、調理レシピに関する第１の温度の表示を受信し、食料品に関する現在温度の表示を受信し、前記第１の温度および前記現在温度の表示に基づいて、前記熱源により提供されるエネルギー量を調節する、ことができる。前記調理装置システムは、調理レシピに従って食料品の調理に使用するために操作可能な調理装置と、前記調理装置に接続され、食料品に関する現在温度の測定結果を提供するように操作可能な、一以上の温度センサと、前記一以上の温度センサに通信可能に接続されるプロセッサと、を備えてもよく、前記プロセッサは、実行されると、前記第２の通信リンクを介して、食料品に関する前記現在温度の表示を、前記熱源システムによる受信のために送信するために操作可能である。
【００３０】
本発明の第８の態様は、プロセッサを備えたシステムであって、前記プロセッサは、実行されると：調理レシピの少なくとも一部を表示し、調理レシピに従って食料品を調理するために使用される熱源システムに対して第１の通信リンクを確立し、前記第１の通信リンクを用いて、一以上の調理指示を、前記熱源システムに送信するように操作可能であって、前記一以上の調理指示は、前記熱源システムに、前記熱源システムの熱源により食料品に提供されるエネルギー量を、調節させるように構成されていることを特徴とするシステムにより達成される。
【００３１】
本発明の別の態様は、前記プロセッサは、実行されると、前記熱源システムに対する前記第１の通信リンクが切れたかどうかを判断し、前記熱源システムに対する前記第１の通信リンクが切れたという判断に基づいて、一以上の追加通信プロトコルをスキャンし、前記第１の通信リンクを再び確立しようと試みる、さらなる操作が可能であることを特徴とする上記何れかのシステムである。
【００３２】
本発明の第９の態様は、食料品を調理するために利用されるエネルギー量を提供するように操作可能な熱源と、前記熱源に通信可能に接続されるプロセッサと、を備え、前記熱源に通信可能に接続されるプロセッサは、実行されると：食料品の調理レシピを有する無線装置に対して第１の通信リンクを確立し、前記無線装置に対する前記第１の通信リンクを介して、調理レシピに関する第１の温度の表示を受信し、食料品の調理に使用するために操作可能な調理装置システムに対して第２の通信リンクを確立し、前記調理装置システムに対する前記第２の通信リンクを介して、食料品に関する現在温度の表示を受信し、前記第１の温度の表示および前記現在温度の表示に基づいて、前記熱源により提供されるエネルギー量を調節する、ように操作可能であることを特徴とするシステムにより達成される。
【００３３】
本発明の別の態様は、前記熱源システムのプロセッサは、実行されると、前記無線装置に対する前記第１の通信リンクを介して、前記第１の温度に関する持続時間の表示を受信し、前記無線装置に対する前記第１の通信リンクが切れたかどうかを判断し、前記無線装置に対する前記第１の通信リンクが切れたという判断に基づいて：前記第１の温度に関する持続時間が経過したかどうかを判断し、前記第１の温度に関する持続時間が経過していないという判断に基づいて、前記熱源が、前記第１の温度に基づいて、エネルギー量の提供を継続する、ようにさらに操作可能であることを特徴とする上記何れかのシステムである。
【００３４】
本発明の別の態様は、前記熱源システムのプロセッサは、実行されると、前記無線装置に対する前記第１の通信リンクを介して、保持時間の表示を受信し、前記第１の温度に関する持続時間が経過したという判断に基づいて、前記熱源により提供されるエネルギー量を、前記保持時間に基づいて調節する、ようにさらに操作可能であることを特徴とする上記何れかのシステムである。
【００３５】
本発明の別の態様は、前記プロセッサは、実行されると、前記無線装置に対する前記第１の通信リンクが切れたという判断にさらに基づいて、一以上の追加通信プロトコルをスキャンし、前記第１の通信リンクを再び確立しようと試みるようにさらに操作可能であることを特徴とする上記何れかのシステムである。
【００３６】
本発明の第１０の態様は、調理レシピに従って食料品の調理に使用するために操作可能な調理装置と、前記調理装置に接続され、食料品に関する現在温度の測定結果を提供するように操作可能な、一以上の温度センサと、前記一以上の温度センサに通信可能に接続されるプロセッサと、を備え、前記プロセッサは、実行されると、食料品に関する前記現在温度の表示を、前記熱源システムによる受信のために通信する、ように操作可能であって、前記現在温度の表示は、前記現在温度が料理レシピに含まれる温度と異なる場合に、前記熱源システムの熱源により食料品に提供されるエネルギー量を、前記熱源システムに調節させるように、構成されていることを特徴とするシステムにより達成される。
【００３７】
本発明の別の態様は、前記プロセッサは、実行されると、食料品に関する前記現在温度の表示を、スキャン応答パケットに挿入し、前記熱源システムによる受信のために前記スキャン応答パケットを送信する、ようにさらに操作可能であることを特徴とする上記何れかのシステムである。
【００３８】
本発明の別の態様は、前記プロセッサは、実行されると、食料品に関する前記現在温度の表示を、前記スキャン応答パケットのメーカー特有のアドバタイジングデータフィールドの中に挿入するようにさらに操作可能であることを特徴とする上記何れかのシステムである。
【００３９】
本発明の別の態様は、前記プロセッサは、実行されると、食料品に関する次の現在温度の表示を次のスキャン応答パケットに挿入し、ここで食料品に関する前記次の現在温度の表示は、食料品に関する前記現在温度の表示とは異なるものであって、前記熱源システムによる受信のために前記次のスキャン応答パケットを送信する、ようにさらに操作可能であることを特徴とする上記何れかのシステムである。
【００４０】
本発明の別の態様は、前記プロセッサは、実行されると、前記第１の通信リンクを介して、食料品に関する前記現在温度の表示を、前記無線装置による受信のために送信するようにさらに操作可能であることを特徴とする上記何れかのシステムである。
【００４１】
本発明の別の態様は、前記調理装置が、調理鍋、調理平鍋、調理トレイ、または調理器具であることを特徴とする上記何れかのシステムである。
【００４２】
本発明の別の態様は、前記調理装置が、スプーン、トング、フライ返し、または測定プローブであることを特徴とする上記何れかのシステムである。
【００４３】
本発明の別の態様は、前記プロセッサが前記調理装置のハンドルの内部もしくは表面に設けられていることを特徴とする上記何れかのシステムである。
【００４４】
本発明の別の態様は、前記調理装置に接続され、食料品に関する現在の追加情報の測定結果を提供するように操作可能な一以上の追加センサをさらに備え、前記現在の追加情報として、食料品に関する現在の容量、食料品に関する現在の重量、食料品に関する現在の水分量、食料品に関する現在の液面レベル、食料品に関する現在の圧力、が含まれていることを特徴とする上記何れかのシステムである。
【００４５】
本発明の別の態様は、前記プロセッサは、実行されると、食料品に関する前記現在温度の表示をスキャン応答パケットに挿入し、食料品に関する前記現在の追加情報の表示を前記スキャン応答パケットに挿入し、前記熱源システムによる受信のために前記スキャン応答パケットを送信する、ようにさらに操作可能であることを特徴とする上記何れかのシステムである。
【００４６】
本発明の別の態様は、前記プロセッサは、実行されると、前記第１の通信リンクを介して、食料品に関する前記現在の追加情報の表示を、前記無線装置による受信のために送信するようにさらに操作可能であることを特徴とする上記何れかのシステムである。
【００４７】
本発明の別の態様は、前記スキャン応答パケットがWPANスキャン応答パケットであることを特徴とする上記何れかのシステムである。
【図面の簡単な説明】
【００４８】
本開示や、本開示およびその特徴ならびに利点をより完全に理解するために、添付している図面と併せて、以下の説明を参照する。
【００４９】
【図１Ａ】様々な実施形態による、食料品を調理するユーザーを補助可能な調理システムの一例を示す。
【図１Ｂ】様々な実施形態による、食料品を調理するユーザーを補助可能な調理システムの一例を示す。
【図２】電子調理本によりデバイスに映し出されたスクリーンショットの一例を表す。
【図３】電子調理本によりデバイスに映し出されたスクリーンショットの一例を表す。
【図４】電子調理本によりデバイスに映し出されたスクリーンショットの一例を表す。
【図５】電子調理本によりデバイスに映し出されたスクリーンショットの一例を表す。
【図６】電子調理本によりデバイスに映し出されたスクリーンショットの一例を表す。
【図７】電子調理本によりデバイスに映し出されたスクリーンショットの一例を表す。
【図８】電子調理本によりデバイスに映し出されたスクリーンショットの一例を表す。
【図９Ａ】ユーザーインターフェースシステムを有する熱源システムの一例である。
【図９Ｂ】ユーザーインターフェースシステムを有する熱源システムの一例である。
【図９Ｃ】ユーザーインターフェースシステムを有する熱源システムの一例である。
【発明を実施するための形態】
【００５０】
本開示の実施形態は、図面の図１Ａ〜図９Ｃを参照することにより最もよく理解される。同様の参照番号は、様々な図面の類似部分や対応する部分に使用される。
【００５１】
図１Ａおよび図１Ｂは、（例えばステーキやチリ・コン・カルネなどの）食料品を調理するユーザーを補助可能な調理システム１０の実施例を示す。図示されるように、調理システム１０は、電子調理本３０を実行可能な、（例えば携帯電話やタブレットなどの）無線装置１４を含んでいる。さらに調理システム１０は、（例えば、ガスバーナーシステム、電気式のバーナーシステム、または電磁誘導式のバーナーシステムなどの）熱源システム４６と、当該食料品の調理に使用される、（例えば調理用の平鍋や深鍋などの）調理装置システムとを含んでいる。
【００５２】
図１Ａおよび図１Ｂの操作の一例において、ユーザーが、例えばステーキやチリ・コン・カルネなどの食料品を調理しようと所望する場合がある。そのために、ユーザーは（例えば携帯電話やタブレットなどの）無線装置１４を利用し、電子調理本３０により無線装置１４に表示された当該食品用の特定のレシピを選択することができる。この選択に基づき、無線装置１４は、食料品の調理に使用される（例えばストーブトップ加熱部などの）熱源システム４６との（例えばブルートゥース（登録商標）による通信リンクやＷｉＦｉによる通信リンクなどの）第１の通信リンクを確立することができる。一実施形態において、熱源システム４６との当該第１の通信リンクは、（例えばＵＳＢ（universal serial bus：ユニバーサル・シリアル・バス）接続やシリアル接続を用いる、などの）有線接続であってもよい。
【００５３】
無線装置１４は、この通信リンクを使用し、調理指示７０を熱源システム４６に送信してもよい。調理指示７０は、特定の温度（例えば華氏３７５度など）や特定の持続時間（例えば１０分など）を含むことができる。これらの調理指示７０が、熱源システム４６の（例えばガスレンジ上部の左前のガスバーナーなどの）熱源５０に、調理装置システム８２の（例えば５クオートの深鍋などの）調理装置８６へのエネルギーの提供を開始させてもよい。例えば調理指示７０が、熱源５０に、時間と共に変化する強度を有する炎（または他のエネルギー源）を提供させて、調理装置８６の温度を所望の調理温度（例えば華氏３７５度など）まで上昇させるようにしてもよく、その後、調理過程の間はこの特定の温度（例えば華氏３７５度など）を保持するようにしてもよい。また調理指示７０が、熱源５０に、特定の持続時間（例えば１０分など）このような炎をさらに提供させてもよく、これにより炎の強度を、制御アルゴリズムを用いて調整し、調理過程を通して当該所望の調理温度に保持することができる。
【００５４】
無線装置１４と熱源システム４６の間の第１の通信リンクに加えて、熱源システム４６が調理装置システム８２との（例えばブルートゥース（登録商標）による第２の通信リンクやＷｉＦｉによる第２の通信リンクなどの）第２の通信リンクを確立してもよい。調理装置システム８２は当該第２の通信リンクを利用し、これにより熱源システム４６に測定情報７４を送信することができる。例えば、調理装置システム８２が食料品に関連する現在温度を測定してもよく、また、この現在温度を測定情報７４として熱源システム４６に伝達してもよい。測定情報７４に基づき、熱源システム４６が、熱源５０により提供されるエネルギー量の１つ以上の変更または調整を行なってもよい。例えば、現在の調理温度が意図された温度である華氏３７５度未満であることを測定情報７４が示している場合、熱源システム４６は、熱源５０により提供されるエネルギー量を増加させることができる。他の例として、現在の調理温度が意図された温度である華氏３７５度を上回っていることを測定情報７４が示している場合、熱源システム４６は、熱源５０により提供されるエネルギー量を減少させることができる。また別の例として、現在の調理温度が意図された温度である華氏３７５度であることを測定情報７４が示している場合、熱源システム４６は、同一の量のエネルギーを提供し続けることができる。さらなる例として、現在の調理温度が意図された温度である華氏３７５度未満であるものの、この意図された温度を通り過ぎる虞があるように急速に上昇していることを測定情報７４が示している場合、熱源システム４６は、熱源５０により提供されるエネルギー量を減少させることができる。さらなる例として、一連の温度測定値または他の測定情報７４に対するフィードバックアルゴリズムまたはフィードフォワードアルゴリズム（例えば、比例−積分−微分アルゴリズム（ＰＩＤアルゴリズム）など）の動作に基づいて、熱源システム４６は、熱源５０により提供されるエネルギーを任意の様々な量に調整することができる。
【００５５】
いくつかの例において、食料品を調理しているユーザーが、この食料品の調理中に台所を離れることを望む場合がある。さらにユーザーは、（例えば携帯電話などの）彼らの無線装置１４を持ち運ぶ可能性がある。これにより、いくつかの例において、熱源システム４６との通信範囲外に無線装置１４が移動する（通信リンクが働かなくなる）虞がある。しかしながら、熱源システム４６と調理装置システム８２との間に第２の通信リンクがあることにより、場合によっては、ユーザーおよび／または無線装置１４が存在しない場合であっても、食料品を料理し続けることができる。例えば上述したように、調理指示７０が（例えば１０分などの）特定の持続時間を含むことができる。このような例において、１０分が経過する前に、無線装置１４が熱源システム４６との通信範囲外に移動する場合、熱源システム４６は、当該１０分の残りの時間で、調理装置８６にエネルギー量を供給し続けることができる。これにより、ユーザーおよび／または無線装置１４が存在しない場合であっても、熱源５０が食料品を調理し続けることができる。このように、無線装置１４が調理過程中ずっと通信範囲内に留まる必要がなく、これによりユーザーおよび／または無線装置１４を長時間にわたって自由にすることができる。このような例において調理システム１０は、無線装置１４と、熱源システム４６および／または調理装置システム８２との間の切断（または接続不良）に対する耐性があってもよい。
【００５６】
さらに、無線装置１４が当該持続時間の終了前に通信範囲内に戻る場合、まるでユーザーおよび／または無線装置１４が一度もその場を離れていないかのように、食料品の調理を継続することができる。あるいは、無線装置１４が当該持続時間の終了前に通信範囲内に戻らない場合、熱源システム４６が停止してもよく、または（例えば加温温度などの）保持温度へと移行してもよく、これにより潜在的な火災の危険性を防止し、および／または、食料品を調理し過ぎることを防止することができる。
【００５７】
上述されるように、図１Ａおよび図１Ｂの調理システム１０は無線装置１４を備えている。無線装置１４は、ユーザーと通信することによりユーザーに（例えば料理レシピなどの）調理情報を提供し、また、熱源システム４６ともさらに通信可能であることによりユーザーの調理を補助することのできるあらゆる適切な構成部品を表している。加えて、無線装置１４が調理装置システム８２とさらに通信して、調理中のユーザーをさらに補助するようにしてもよい。無線装置１４は、ノート型パソコン、（例えばスマートフォンなどの）携帯電話またはセル型の携帯無線電話、電子手帳、（例えばｉＰａｄ（登録商標）などの）タブレット、個人用デジタル補助装置、動画像投影装置、調理システム１０の他の構成部品に対して情報を受信、処理、記憶および／または通信することのできる他の任意の装置、あるいはこれらの任意の組み合わせとすることができる。図１Ａおよび図１Ｂに示されるように、無線装置１４はタブレットである。さらに図示されるように、無線装置１４は、ネットワークインターフェース１８、プロセッサ２２、およびメモリユニット２６を含んでいる。
【００５８】
ネットワークインターフェース１８は、ネットワーク３８および／またはネットワーク４２から情報を受信し、ネットワーク３８および／またはネットワーク４２を介して情報を送信し、情報の処理を実行し、他の装置と通信し、あるいはこれらの任意の組み合わせ、を行なうように動作可能なあらゆる適切な装置を表している。例えば、ネットワークインターフェース１８は、調理システム８２から（例えば食料品の調理に関連する現在温度などの）測定情報７４を受信する。他の例として、ネットワークインターフェース１８は、調理指示７０を熱源システム４６に伝達する。ネットワークインターフェース１８は、あらゆるポートまたは接続を表しており、これは現実のものでも仮想的なものでもよく、ローカルエリアネットワーク（Local Area ネットワーク：ＬＡＮ）、都市規模ネットワーク（Metropolitan Area ネットワーク：ＭＡＮ）、広域ネットワーク（Wide Area ネットワーク：ＷＡＮ）、または無線装置１４が、ネットワーク３８、ネットワーク４２、熱源システム４６、ネットワーク７８、調理装置システム８２、またはシステム１０の他の構成部品と情報を交換することを可能にする他の通信システム、を介して通信するための、プロトコル変換およびデータ処理能力を有している、あらゆる適切なハードウェアおよび／またはソフトウェアを含んでいる。
【００５９】
プロセッサ２２は、ネットワークインターフェース１８およびメモリユニット２６と通信可能に連結しており、ネットワークインターフェース１８およびメモリユニット２６から受信した情報を処理することで、無線装置１４の動作および管理を制御している。プロセッサ２２は、情報を制御および処理するように動作するあらゆるハードウェアおよび／またはソフトウェアを含んでいる。例えばプロセッサ２２が電子調理本３０を実行して無線装置１４の動作を制御することにより、無線装置１４にユーザーと通信させ、これにより（例えば料理レシピなどの）調理情報をユーザーに提供し、また熱源システム４６とさらに通信することにより、ユーザーの調理を補助する。プロセッサ２２は、プログラム可能な論理デバイス、マイクロコントローラ、マイクロプロセッサ、任意の適切な処理装置、またはこれらの組み合わせとすることができる。
【００６０】
メモリユニット２６は、データ、動作可能なソフトウェア、またはプロセッサ２２用の他の情報を、恒久的または一時的のどちらか一方で記憶している。メモリユニット２６は、情報の記憶に適した揮発性もしくは不揮発性の、ローカルもしくは遠隔デバイスからなる任意の１つまたは任意の組み合わせを含んでいる。例えば、メモリユニット２６は、ランダムアクセスメモリ（Random Access Memory：ＲＡＭ）、リードオンリーメモリ（Read Only Memory：ＲＯＭ）、磁気記憶装置、光学記憶装置、他の任意の適切な情報記憶装置、またはこれらの任意の組み合わせを含むことができる。メモリユニット２６は、特定の情報モジュールを含むものとして説明されてきたが、無線装置１４の動作に用いられるあらゆる適切な情報を含むことができる。
【００６１】
図示の例では、メモリユニット２６は電子調理本３０を含んでいる。電子調理本３０は任意の適切な命令、論理またはコードのセットを表現しており、当該セットは、コンピュータで読み取り可能な記憶媒体に具体化され、また調理および／または電子料理本３０に関する無線装置１４の操作を容易にするように操作可能である。メモリユニット２６は、コンピュータで読み取り可能な記憶媒体に具体化され、また調理および／または電子料理本３０に関する無線装置１４の操作を容易にするように操作可能な他の適切な命令、論理またはコードのセットをさらに含むことが可能であって、当該無線装置１４の他の適切な操作としては、無線装置１４の電話機能、無線装置１４の他のあらゆるスマートフォンもしくはタブレットの機能、無線装置１４の他のあらゆる機能、あるいはこれらの任意の組み合わせが挙げられる。
【００６２】
電子調理本３０は、調理に関連する命令（および他のコンテンツ）をユーザーに提供することができる。例えば、電子調理本３０は、ユーザーに１つ以上の料理レシピや追加コンテンツを提供してもよく、当該料理レシピや追加のコンテンツは、ユーザーが（例えばステーキやチリ・コン・カルネなどの）食料品を調理することを補助することができる。
【００６３】
さらに、電子調理本３０は熱源システム４６に通信可能となっている。電子調理本３０と熱源システム４６は、ブルートゥース（登録商標）技術などによる１：１の信号通信が可能である。この１：１の信号通信により双方向の通信が可能となり、電子調理本３０と熱源システム４６の両方（および／または調理装置システム８２）が互いに信号を送信し、また互いの信号を受信できるようになっている。これに加えて、本明細書に記載されている通り、電子調理本３０(および無線装置１４)ならびに熱源システム４６は、相手方の通信スキームを利用することができる。
【００６４】
電子調理本３０が熱源システム４６と通信することにより、調理装置８６(あるいは食料品に関連する調理環境)を、調理レシピに記載されている持続時間で、調理レシピに記載されている所望温度まで持っていく一以上の段階（ステップ）を実行することができる。電子調理本３０の操作により提供される時間および／または温度の制御は、熱源５０(熱源の出力など)により提供されるエネルギー量を設定する際に起こる可能性のあるミスを防ぐために使用することができる。実施例によっては、電子調理本３０が、熱源システム４６と調理装置システム８２の両方または何れか一方と信号通信可能となることにより、温度の測定および熱源５０（例えば、熱源システム４６の加熱ユニット）により提供されるエネルギーの変更もしくは調節を用いて、食品調理環境を調理レシピに記載されている温度で正確に制御し、以下詳細に説明される通り、これにより調理環境を所望とされる温度に正確に保つことができる。
【００６５】
また、電子調理本３０は調理装置システム８２と通信可能である。電子調理本３０と調理装置システム８２は、調理プロセスの少なくとも一部に関して、１:１の通信(例えば、１:１のブルートゥース（登録商標）通信)をすることができる。別の実施例として、本明細書に記載される通り、電子調理本３０(および無線装置１４)ならびに調理装置システム８２は、他の通信スキームを利用可能である。電子調理本３０と調理装置システム８２の通信により、電子調理本３０は、調理装置システム８２の動力レベルを確認し、または調理装置システム８２に関する他のあらゆる情報を確認することができる。さらには、調理装置システム８２は、電子調理本３０に使用される温度およびデバイスＩＤなどのデバイスもしくは環境情報をアドバタイズメントすることができる。また、調理装置システム８２には、（例えば）電子調理本からのプロンプトまたはリクエストを受信してアドバタイズコンテントを形成するための受信器が含まれていてもよい。
【００６６】
電子調理本３０により、調理初心者などのユーザーがプロの結果を得ることができるが、これは熱源システム４６の電子制御により提供される温度および時間の正確な管理により、再現性のある結果が提供可能であるからであって、調理プロセスの際における食材の感覚、質感、および色彩の組み合わせから食品の仕上がり具合を判断するチェフの専門知識を利用する必要性がないからである。
【００６７】
電子調理本３０は、調理前に食材を準備することに対して専門家の指導を提供することにより、ユーザーが最適な結果が得られるように補助することができる。例えば、電子調理本３０は、調理後の一以上の仕上げステップまたは調理前に必要とされる一以上の食品準備ステップに関する専門家の指導を提供することにより、ユーザーが最適な結果を達成することを補助することができる。
【００６８】
電子調理本３０は、調理プロセスの際における食材の感覚、質感、および色彩の組み合わせなどから、調理レシピのある段階（ステップ）にある食料品が、調理レシピの別の段階（ステップ）を開始することに係るユーザーの技術レベルおよび判断を向上させるために使用することのできる追加コンテンツを、任意選択的に提供することができる。このような指導は調理レシピの様々な段階または各段階で利用可能（または任意選択的に利用可能）であって、カッティング、角切り、捌き技術、混ぜ、または撹拌などのテクニックに係る画像および／または動画像を表示することが含まれる。表示に、当該段階が無事に完了した後の食品の望ましい外観に係る画像および／または動画像を含めることもできる。例えば、電子調理本３０が特定の寸法に人参を角切りにするという指示を提供した後に、ユーザーは、適切な角切りテクニックの動画像を閲覧したり、例えば、角切りされた人参がステップの最後に準備されたときにどう見えるのかなど、望ましく準備された食材の動画像または写真を任意選択的に閲覧することができる。
【００６９】
電子調理本３０は無線装置１４（または無線装置の通信領域にいる他の適当なデバイス、例えば小型投影表示装置もしくは適切に配置された機器内蔵型の表示装置（例えば、冷蔵庫のフロントパネルディスプレイ（ＦＰＤ）など））の表示スクリーンを利用するか、またはユーザーが仮想もしくは拡張現実表示装置を使用することにより、ユーザーは容易に指示を閲覧、視認、受信、または再生することができる。電子調理本３０の表示機能は、例えば、複雑な準備技術を、文章と比較してよりわかりやすく表現することができる。実施例によっては、電子調理本３０には、調理器具または調理用具を正しく安全な方法で使用することを通知させることが含まれてもよい。電子調理本３０また、曖昧さの余地をほとんど無くすことのできるチェックリスト、通知、および／または、タイマーを設けることにより、ミスや見落としを回避することもできる。この特徴は任意選択的であってユーザーにより選択可能とすることができる。表示機能により、ユーザーにレシピを実行するか否かを判断させるための重要な情報を提供することができる。例えば、ユーザーは、ステップ実行の前に、複雑で時間のかかるステップを閲覧するためにレシピのステップをスキップすることができる。実施例によっては、電子調理本３０にはユーザーが特定の食品、ステップ、熱源、難易度、一品目あたりの食物栄養素もしくはカロリー、準備時間、調理時間、コスト、または他の検索条件を検索可能となることにより、ユーザーがメニューを計画し、また特定の食事制限をすることを補助するための検索機能が含まれる。
【００７０】
実施例によっては、電子調理本３０はレシピのステップに係る文章をこのステップの実演動画像と共に表示することが可能であって、任意選択的に音声トラックが、実演動画像の音声トラックまたはテキスト部分の何れかを再生する。例えば、従来のレシピは最初に食材と器具、場合によっては準備時間と調理時間をリストアップしている。電子調理本３０は静止画像と第１動画像セグメントからなるすべての組み合わせを表示可能に構成されており、これは食材および／または完成した料理がどのように見えるかを、テキスト部分の栄養情報および準備時間と共に表示した、静止ショット画像またはパンショットとすることが可能である。
【００７１】
レシピの次ステップでは、食材の準備の仕方を提示することが可能であって、例えば、切り方、スライスの方法、角切りの方法、混ぜ方、他の調理テクニック、またはこれらの組み合わせを提示することができる。この次ステップは、調理の順番の通りに提示可能であって、その後に最終提示を提示することができる。
【００７２】
下記の表は電子調理本３０により表示されたレシピの例示的な表示フォーマットを説明しており、表中の線はそれぞれ表示可能なコンテンツをリスト化したものであって、各ラインは別々の表示、他の部分からスクロール可能な部分、または全表示を強調した部分とすることができる。
【表１】
2019509454.tif 000003
【００７３】
電子調理本３０により表示可能な情報の種類に係る上記の非限定的な実施例から、レシピには一般的にいくつかの準備段階（またはステップ）が関わっており、このようなものとしては、食材の調達および計量、ならびに混合および／または調理の段階を挙げることができる。上記のレシピ表示フォーマットを使用することにより、ユーザーは、その後の段階もしくはステップに係る表示、テクニック、および食品の外観の間でレシピ内を移動可能となることにより、レシピの全体像を得ることができる。
【００７４】
例えば、レシピに複雑なステップ、例えば新たな食材準備テクニックが含まれる場合、ユーザーが電子調理本３０と連動することにより、レシピの一以上の段階において、ユーザーが準備した食料品が、適切な外観、質感、または色彩を有していることを視覚的に認識することができる。したがって、レシピの次のステップに案内する前に、ユーザーは画像またはテキスト等その他のコンテンツを検索して、ステップもしくは段階がうまく完了したことを確認することができる。電子調理本は、無線装置１４（または無線装置の通信領域にある他のあらゆるデバイス）の一部である一以上のカメラにより撮影された調理プロセスの画像に、画像認識アルゴリズムを使用することにより、食品に係る適切な外観、質感、色合い、仕上がり具合に関するフィードバックをユーザーに提供することもできる。
【００７５】
電子調理本３０に関する追加情報を以下説明する。さらに、電子調理本３０により無線装置１４（他のデバイス）に表示されるスクリーンショットの例を図２〜図８に図示した。
【００７６】
ネットワーク３８は、例えば無線装置１４や熱源システム４６などの、調理システム１０の各構成部品間の通信を促進するように操作可能な任意の適切なネットワークを表している。ネットワーク３８は、音声、映像、信号、データ、メッセージ、またはこれらの任意の組み合わせを送信可能な、任意の相互接続システムを含むことができる。ネットワーク３８として公衆交換電話網（Public Switched Telephone ネットワーク：ＰＳＴＮ）、公衆または私設のデータネットワーク、ＬＡＮ、ＭＡＮ、ＷＡＮ、ＷＰＡＮ、市内通信、地域的通信、グローバル通信、あるいはコンピュータネットワークの全部または一部を含むことが可能であって、このようなものとしてはインターネット、有線または無線ネットワーク、企業イントラネット、これらの組み合わせ、あるいは各構成部品間の通信を促進するように操作可能な他のあらゆる適切な通信リンクなどを挙げることができる。ネットワーク３８の好ましい例としては、ＷＰＡＮ（当該ＷＰＡＮは、例えば、ブルートゥース（登録商標）、ブルートゥース  ローパワー（ブルートゥース（登録商標）low power）、ブルートゥース  ５、ＡＮＴ＋、ジグビー（ＩＥＥＥ  ８０２．１５．４）、他のＩＥＥＥ  ８０２．１５．４のプロトコル、限定なしのＩＥＥＥ  ８０２．１１Ａ、ＢまたはＧ、およびＷｉＦｉ（ＩＥＥＥ  ８０２．１１）を含むことができる）、セルラー通信ネットワーク、赤外線通信ネットワーク、調理システム１０の各構成部品間の通信を促進するように操作可能な他のあらゆる無線ネットワーク、あるいはこれらの任意の組み合わせを含んでもよい。
【００７７】
ネットワーク４２は、例えば無線装置１４や調理装置システム８２などの、調理システム１０の各構成部品間の通信を促進させるように作動可能なあらゆる適切なネットワークを表している。ネットワーク４２は、音声、映像、信号、データ、メッセージ、またはこれらの任意の組み合わせを送信可能な、任意の相互接続システムを含んでもよい。ネットワーク４２には、ＰＳＴＮ、公衆または私設のデータネットワーク、ＬＡＮ、ＭＡＮ、ＷＡＮ、ＷＰＡＮ、市内通信、地域的通信、グローバル通信、あるいはコンピュータネットワークの全部または一部を含んでもよく、このようなものとしては、インターネット、有線または無線ネットワーク、企業イントラネット、または、各構成部品間の通信を促進するように操作可能な他のあらゆる適切な通信リンク、又はこれらの組み合わせを挙げることができる。ネットワーク４２の好ましい例としては、ＷＰＡＮ、セルラー通信ネットワーク、赤外線通信ネットワーク、調理システム１０の各構成部品間の通信を促進するように操作可能な他の無線ネットワーク、あるいはこれらの任意の組み合わせが含まれる。さらにネットワーク４２は、ネットワーク３８と同様のタイプのネットワークであってもよく、またはネットワーク３８と異なるタイプのネットワークであってもよい。例えば、ネットワーク４２とネットワーク３８の両方が、ブルートゥース（登録商標）の通信ネットワークであってもよい。他の例として、ネットワーク４２がＷｉＦｉの通信ネットワークであってもよい一方で、ネットワーク３８がブルートゥース（登録商標）の通信ネットワークであってもよい。さらに、ネットワーク４２とネットワーク３８とが別々のネットワークとして図示されているが、ネットワーク４２およびネットワーク３８が同一のネットワークであってもよい。
【００７８】
熱源システム４６は任意の適切な構成部品を表しており、当該構成部品は、食料品を調理するためのエネルギー量を提供でき、かつ、ユーザーの調理を補助するために無線装置１４とさらに通信することができる。さらに熱源システム４６は、ユーザーの調理を補助するために、調理装置システム８２とも通信してもよい。
【００７９】
図示されるように熱源システム４６は、熱源５０、ネットワークインターフェース５４、ユーザーインターフェースシステム５６、プロセッサ５８、およびメモリユニット６２を含んでいる。熱源５０は、食料品を調理するためのエネルギー量を提供可能なあらゆる装置とすることができる。例えば、熱源５０は、（例えば電磁誘導式のバーナー、ガスバーナー、赤外線バーナー、および／または加熱コイルなどの）バーナー、抵抗加熱要素、（例えばハロゲンランプなどの）加熱ランプ、オーブン、電子レンジ、ストーブトップ加熱部、コンロ、グリル、食料品を調理するためのエネルギー量を提供可能な他のあらゆる装置、またはこれらの組み合わせとすることができる。図示の例では、熱源５０は、ガスの炎の形態で熱エネルギーを提供するガスバーナーである。熱源システム４６は、任意数の熱源５０を含むことができる。
【００８０】
熱源５０は、当該熱源５０に動力（またはエネルギー）を供給する動力源にさらに接続されてもよく、それにより熱源５０が、食料品を調理するためのエネルギー量を提供することを可能にしている。この動力源は、例えば、（例えば電源コンセントへの接続やバッテリーなどの）電源、（例えばガスラインへの接続やガスボンベなどの）ガス動力源、他の任意の動力源（またはエネルギー源）、あるいはこれらの任意の組み合わせなどの、任意のタイプの動力源であってもよい。
【００８１】
上述されるように、熱源システム４６は、ネットワークインターフェース５４、ユーザーインターフェースシステム５６、プロセッサ５８、およびメモリユニット６２をさらに含んでいる。これらのネットワークインターフェース５４、ユーザーインターフェースシステム５６、プロセッサ５８、およびメモリユニット６２は、熱源システム４６の上、熱源システム４６の内、または熱源システム４６に隣接している任意の場所に設けることが可能であって、これによりネットワークインターフェース５４およびプロセッサ５８が、熱源システム４６の熱源５０と通信できるようになり、および／または、ネットワークインターフェース５４およびプロセッサ５８が、無線装置１４および／または調理装置システム８２と通信できるようになる。このような例では、プロセッサ５８が、熱源５０および／または無線装置１４および／または調理装置システム８２と通信可能に連結（および潜在的に物理的または電気的に連結）されてもよい。
【００８２】
ネットワークインターフェース５４は、ネットワーク３８および／またはネットワーク７８からの情報を受信し、ネットワーク３８および／またはネットワーク７８による情報を送信し、熱源５０からの情報を受信し、熱源５０に情報を送信し、情報処理を実行し、他の装置と通信し、あるいはこれらの任意の組み合わせ、を行なうように操作可能なあらゆる適切な装置を表している。例えば、ネットワークインターフェース５４は、無線装置１４（および電子調理本３０）から、食料品の調理に関連する温度情報または他の測定情報７４を受信する。ネットワークインターフェース５４は、あらゆるポートまたは接続を表しており、これは現実のものでも仮想的なものでもよく、（ＬＡＮ、ＭＡＮ、ＷＡＮ、または他の通信システムにより通信するためのプロトコル変換およびデータ処理能力を含むあらゆる適切なハードウェアおよび／またはソフトウェアを含み）、これにより熱源システム４６が、無線装置１４、ネットワーク３８、ネットワーク４２、ネットワーク７８、調理装置システム８２、またはシステム１０の他の構成部品と、情報を交換することが可能となる。
【００８３】
ユーザーインターフェースシステム５６は、ユーザーが熱源システム４６に入力を提供できるようにし、および／または、熱源システム４６が熱源システム４６のユーザーに出力（視覚的な出力）を提供できるようにするためのあらゆる構成部品を表している。例えば、ユーザーインターフェースシステム５６は、熱源システム４６が食料品を調理するために使用する所望のエネルギー量をユーザーが入力することのできるタッチセンサを備えることができる。別の実施例としては、ユーザーインターフェースシステム５６は、熱源システム４６が食料品の調理に現在使用しているエネルギー量の視覚表現を提供することのできる光源を備えることができる。ユーザーインターフェースシステム５６に関するさらなる詳細事項は図９Ａ〜図９Ｂを参照して説明される。
【００８４】
プロセッサ５８は、ネットワークインターフェース５４、ユーザーインターフェースシステム５６およびメモリユニット６２と通信可能に連結しており、ネットワークインターフェース５４、ユーザーインターフェースシステム５６、およびメモリユニット６２から受信された情報を処理することにより、熱源システム４６の動作およびネットワーク管理を制御している。プロセッサ５８には、情報を制御および処理するように動作する任意のハードウェアおよび／またはソフトウェアが含まれる。例えば、プロセッサ５８は、熱源システムの管理アプリケーション６６を実行して、熱源システム４６の動作を制御して、食料品を調理するためのエネルギー量を提供し、また無線装置１４とさらに通信してユーザーの調理を補助するように構成されている。プロセッサ５８は、プログラム可能な論理デバイス、マイクロコントローラ、マイクロプロセッサ、任意の適切な処理装置、またはこれらの組み合わせとすることができる。
【００８５】
メモリユニット６２は、データ、動作可能なソフトウェア、またはプロセッサ５８用の他の情報を、恒久的または一時的のどちらか一方で記憶している。メモリユニット６２には、情報を記憶することに適した揮発性もしくは不揮発性の、ローカル装置もしくは遠隔装置からなる１つまたは任意の組み合わせが含まれる。例えば、メモリユニット６２は、ＲＡＭ、ＲＯＭ、磁気記憶装置、光学記憶装置、他の任意の適切な情報記憶装置、またはこれらの任意の組み合わせを含むことができる。メモリユニット６２は、特定の情報モジュールを含むものとして図示される一方で、熱源システム４６の動作で用いる任意の適切な情報を含むことができる。
【００８６】
図示されるようにメモリユニット６２は、熱源システム管理アプリケーション６６、調理指示７０、および測定情報７４を含んでいる。熱源システム管理アプリケーション６６は、任意の適切な命令、論理またはコードのセットを表し、当該セットは、コンピュータで読み取り可能な記憶媒体に具体化され、熱源システム４６の操作を容易にするように操作させることができる。
【００８７】
調理指示７０は、ユーザーの調理を補助するために熱源システム４６により利用することのできる、任意の指示のセットを表している。例えば調理指示７０は、食料品が調理される温度（例えば華氏３７５度などの）、食料品が特定の温度で調理される持続時間（例えば華氏３７５度で４５分など）、食料品（例えばタマネギなど）に与えられる食品の識別子、調理または料理レシピに関連する他のあらゆる情報、あるいはこれらの組み合わせであってもよい。調理指示７０は、無線装置１４から熱源システム４６により受信されてもよい。
【００８８】
測定情報７４は、調理装置システム８２内の（または調理装置システム８２に隣接する）食料品に関連する任意セットの測定値を表している。例えば、測定情報７４は、（例えば、食料品が調理されている現在温度などの）食料品に関連する現在温度、食料品に関連する重量測定値、食料品に関連する酸度測定値、（例えばメイラード反応やタンパク質の変性などの）調理に関連する化学反応が調理中に生じている度合いの測定値、食料品（または調理装置システム８２）に関連する他のあらゆる測定値、あるいはこれらの組み合わせとすることができる。測定情報７４が、調理装置システム８２から熱源システム４６により受信されてもよい。
【００８９】
ネットワーク７８は、例えば熱源システム４６や調理装置システム８２などの、調理システム１０の各構成部品間の通信を促進するように操作可能なあらゆる適切なネットワークを表している。ネットワーク７８は、音声、映像、信号、データ、メッセージ、またはこれらの任意の組み合わせを送信可能なあらゆる相互接続システムを含むことができる。ネットワーク７８には、ＰＳＴＮ、公衆または私設のデータネットワーク、ＬＡＮ、ＭＡＮ、ＷＡＮ、ＷＰＡＮ、市内通信、地域的通信、グローバル通信、あるいはコンピュータネットワークの全部または一部を含んでもよく、このようなものとしては、インターネット、有線または無線ネットワーク、企業イントラネット、または、各構成部品間の通信を促進するように操作可能な他のあらゆる適切な通信リンクを挙げることができる。ネットワーク３８の好ましい例としては、ＷＰＡＮ、セルラー方式の通信ネットワーク、赤外線による通信ネットワーク、調理システム１０の各構成部品間の通信を促進するように操作可能な他のあらゆる無線ネットワーク、あるいはこれらの任意の組み合わせを含んでもよい。さらにネットワーク７８は、ネットワーク３８および／またはネットワーク４２と同様のタイプのネットワークであってもよく、またはネットワーク３８とネットワーク４２の両方と異なるタイプのネットワークであってもよい。例えば、ネットワーク３８、ネットワーク４２およびネットワーク７８のそれぞれが、ブルートゥース（登録商標）の通信ネットワークであってもよい。他の例として、ネットワーク７８は有線ネットワークであってもよく、ネットワーク４２はＷｉＦｉ通信ネットワークであってもよく、またネットワーク３８は、ブルートゥース（登録商標）による通信ネットワークであってもよい。さらに、ネットワーク７８、ネットワーク４２およびネットワーク３８は別々のネットワークとして図示されているが、ネットワーク７８は、ネットワーク３８および／またはネットワーク４２と同一のネットワークであってもよい。
【００９０】
調理装置システム８２は、食料品を調理するために使用できるあらゆる適切な構成部品を表している。調理システム８２はまた、ユーザーの調理を補助するために、熱源システム４６と通信することができる。加えて、調理システム８２は、ユーザーの調理を補助するために、無線装置１４とさらに通信することができる。
【００９１】
図示の例では、熱源システム４６は、調理装置８６、（例えば測定センサ９０ａ〜９０ｄなどの）測定センサ９０、ネットワークインターフェース９４、プロセッサ９８、およびメモリユニット１０２を含んでいる。調理装置８６は、食料品の調理に使用できるあらゆる装置とすることができる。例えば、調理装置８６は、食料品を調理中に当該食料品を支持、保持または包囲できる、食品支持プラットフォームとすることが可能であって、このようなものとしては、深鍋、平鍋、容器、トレイ、グリルプラテン、火格子、オーブン、圧力鍋、炊飯器、長時間調理用の鍋（slowcooker）、電子レンジ、オーブントースター、オーブン、ティーポット、食料品の調理中に当該食料品を支持、保持または包囲できる他のあらゆる装置、またはこれらの組み合わせを挙げることができる。他の例として、調理装置８６は調理用具とすることができて、このようなものとしてはスプーン、トング、フライ返し、（例えば温度を測定するプローブなどの）測定プローブ、食料品の調理中に使用できる他のあらゆる用具、またはこれらの任意の組み合わせなどを挙げることができる。図示の例では、調理装置８６は調理鍋である。
【００９２】
測定センサ９０（例えば、測定センサ９０ａ〜９０ｄなど）は、食料品に関連する測定値を測定または感知する（あるいは、他の方法で提供する）あらゆるセンサを表している。例えば、測定センサ９０は温度センサであってもよく、当該温度センサは、食料品の温度、（例えば、調理装置８６の一部の温度や調理装置８６の内側または近傍の周囲温度などの）食料品の近傍の温度、食料品が調理されている温度、食料品の調理に関連する他のあらゆる温度、またはこれらの組み合わせを測定している。他の例として、測定センサ９０は、体積、重量、水分量、酸性度、アルカリ度、色、圧力、液面、１以上のタンパク質の変性、食料品および／または調理装置８６の他のあらゆる特性、あるいはこれらのあらゆる組み合わせを測定することができる。さらなる例として、測定センサ９０は、化学センサ、食料品および／または調理装置８６のユーザーによる物理的な動きを測定する加速度計、ユーザーおよび／または食料品が特定の位置であるかどうかを判定する運動センサもしくは他の位置センサ、他のあらゆるタイプのセンサ、あるいはこれらのあらゆる組み合わせとすることができる。
【００９３】
全ての測定センサ９０が、（例えば温度などの）同様のタイプの測定法で測定または感知してもよく、または１以上の測定センサ９０が、他の測定センサ９０と異なる測定法で測定してもよい（例えば、測定センサ９０の第１のセットが温度を測定してもよく、測定センサ９０の第２のセットが重量および／または液面を測定してもよい）。図示の例では、測定センサ９０は、調理装置８６の様々な部分の温度を測定する測定センサ９０である。測定センサ９０は、調理装置システム８２内、調理装置システム８２上、または調理装置システム８２に隣接したあらゆる場所に位置してもよく、これにより測定センサ９０は、食料品に関連する情報を測定することが可能となり、また測定センサ９０がこのような情報をプロセッサ９８に送信することがさらに可能となる。測定センサ９０は、調理装置システム８２内、調理装置システム８２上、または調理装置システム８２に隣接したあらゆる場所に連結（あるいは、他の方法で配置）させることが可能であって、測定センサ９０は、あらゆる方法でこのような場所に連結（あるいは配置）させることができる。一例として、測定センサ９０は、（例えば接着剤を使用して）当該場所に接着されてもよく、リベットやクリップを使用して当該場所に接続されてもよく、（例えば、調理装置８６の２層以上の材料の層などの）当該場所の２つ以上の材料の間に配置されてもよく、当該場所で装置と一体的に形成（例えば、調理装置８６の全部または一部と一体的に形成）されてもよく、他のあらゆる方法で当該場所に連結されてもよく、または、これらのあらゆる組み合わせでもよい。
【００９４】
上述されるように、調理装置システム８２は、ネットワークインターフェース９４、プロセッサ９８、およびメモリユニット１０２をさらに含んでいる。ネットワークインターフェース９４、プロセッサ９８、およびメモリユニット１０２は、調理装置システム８２の上、調理装置システム８２内、または調理装置システム８２に隣接しているあらゆる場所に位置してよく、これによりネットワークインターフェース９４およびプロセッサ９８は、測定センサ９０と通信できるようになり、さらに、ネットワークインターフェース９４およびプロセッサ９８は、無線装置１４および／または熱源システム４６とさらに通信できるようになる。このような例では、プロセッサ９８は、測定センサ９０および／または無線装置１４および／または熱源システム５６と通信可能に連結（可能性として、物理的または電気的に連結）することができる。図示の例では、ネットワークインターフェース９４、プロセッサ９８、およびメモリユニット１０２は、調理装置システム８２のハンドルの内部（またはハンドルの表面）に配置されている。いくつかの例において、ネットワークインターフェース９４、プロセッサ９８、およびメモリユニット１０２の位置決めにより、これらの構成部品を過度の熱から保護することができる。
【００９５】
ネットワークインターフェース９４は、ネットワーク４２および／またはネットワーク７８からの情報の受信、ネットワーク４２および／またはネットワーク７８による情報の送信、測定センサ９０からの情報の受信、測定センサ９０への情報の送信、情報処理の実行、他の装置との通信、あるいはこれらの任意の組み合わせ、を行なうように操作可能なあらゆる適切な装置を表している。例えば、ネットワークインターフェース９４は、測定センサ９０から測定値を受信する。他の例として、ネットワークインターフェース９４が測定情報７４を熱源システム４６に送信する。ネットワークインターフェース９４は、（ＬＡＮ、ＭＡＮ、ＷＡＮ、または他の通信システムにより通信するための、プロトコル変換およびデータ処理能力を含むあらゆる適切なハードウェアおよび／またはソフトウェアを含んでいる）実際の、または仮想の、あらゆるポートまたは接続を表しており、当該ポートまたは接続は、調理装置システム８２が、無線装置１４、ネットワーク３８、ネットワーク４２、熱源システム４６、ネットワーク７８、またはシステム１０の他の構成部品と、情報を交換することを可能にしている。
【００９６】
プロセッサ９８は、ネットワークインターフェース９４およびメモリユニット１０２と通信可能に連結しており、ネットワークインターフェース９４およびメモリユニット１０２から受信した情報を処理することにより、調理装置システム８２の動作および管理を制御している。プロセッサ９８は、情報を制御および処理するように動作するあらゆるハードウェアおよび／またはソフトウェアを含んでいる。例えば、プロセッサ９８は調理装置システムの管理アプリケーション１０６を実行し、これにより調理装置システム８２の動作を制御し、熱源システム４６と通信してユーザーの調理を補助し、また無線装置１４と通信することによりユーザーの調理を補助している。プロセッサ９８は、プログラム可能な論理デバイス、マイクロコントローラ、マイクロプロセッサ、あらゆる適切な処理装置、またはこれらの組み合わせとすることができる。
【００９７】
メモリユニット１０２は、データ、動作可能なソフトウェア、またはプロセッサ９８用の他の情報を、恒久的または一時的のどちらか一方で記憶している。メモリユニット１０２は、情報を記憶することに適している、揮発性もしくは不揮発性の、ローカル装置もしくは遠隔装置ならなる１または任意の組み合わせを含んでいる。例えば、メモリユニット１０２は、ＲＡＭ、ＲＯＭ、磁気記憶装置、光学記憶装置、他のあらゆる適切な情報記憶装置、またはこれらの任意の組み合わせを含むことができる。メモリユニット１０２は、特定の情報モジュールを含むものとして図示される一方で、調理装置システム８２の動作に用いるあらゆる適切な情報を含むことができる。
【００９８】
図示の例では、メモリユニット２６は、調理装置システムの管理アプリケーション１０６を含んでいる。調理装置システムの管理アプリケーション１０６は、あらゆる適切な命令、論理またはコードのセットを表し、当該セットは、コンピュータで読み取り可能な記憶媒体に具体化され、熱源システム４６の操作を促進するように操作可能である。
【００９９】
調理システム１０の操作の例示的な実施例において、ユーザーが、例えばステーキやチリ・コン・カルネなどの食料品を調理しようと所望する場合が考えられる。そうするために、ユーザーは（例えば携帯電話やタブレットなどの）無線装置１４を利用することができる。特にユーザーは、無線装置１４に電子調理本３０を実行させることができる。当該ユーザーは、無線装置１４に、あらゆる方法で電子調理本３０を実行させることができる。例えば、電子調理本３０は、無線装置１４にインストールされた「アプリ」とすることができる。このような場合、ユーザーは、無線装置１４に表示された電子調理本３０のアイコンを選択することにより、無線装置１４に電子調理本３０を実行させることができる。
【０１００】
無線装置１４により実行されると、電子調理本３０は調理に関連するコンテンツを表示することができる。ユーザーが電子調理本３０を検索することにより、食料品の調理に使用される特定の料理レシピを選択することができる。ユーザーは、あらゆる方法で電子調理本３０を検索することができる。例えばユーザーは、電子調理本３０の検索機能を利用して、特定の料理レシピを検索することができる。他の例として、ユーザーは、電子調理本３０の特定の欄において、お気に入りの料理レシピを保存することができる。このような例において、ユーザーが（例えば電子調理本３０の「お気に入り」タブをクリックすることによって）この欄を検索することにより、特定の料理レシピを選択することができる。さらなる例として、電子調理本３０は、推奨レシピおよび／または、他のユーザーあるいは有名人のシェフにより評価されているレシピを含むことができる。他の例としてユーザーは、料理レシピ全て（または一部）をスクロールして、特定のレシピを選択することができる。
【０１０１】
電子調理本３０は、（例えばチリ・コン・カルネのレシピなどの）特定のレシピが選択された時点で、この選択された食料品に関連する料理レシピを無線装置１４に表示させることができる。電子調理本３０は、料理レシピ全体を無線装置１４に表示することが可能であって、あるいは料理レシピの一部のみを無線装置１４に表示させることができる。料理レシピは、食料品の調理に使用できるあらゆる情報を含んでもよく、当該情報は、例えば、この食料品を用意するためのステップ（または段階）、この食料品の材料のリスト、この食料品の材料の分量のリスト、この食料品の代わりとなる材料のリスト、この食料品の調理に使用可能な装置または器具（例えば、特定の深鍋／平鍋の説明、および／または、写真や、この食料品の調理に使用すべき特定のタイプの器具（例えばオーブンやグリルなど）の説明および／または写真など）のリスト、この食料品に関連する他のあらゆる情報、あるいはこれらのあらゆる組み合わせ、などである。料理レシピにはまた、食料品の調理に関連する指示用の動画像および／または食料品の材料に関連する写真（例えば、タマネギの写真、賽の目切りされたタマネギの写真、カラメル化された後のタマネギがどのように見えるかを示す写真など）を含むことができる。
【０１０２】
電子調理本３０は、料理レシピに従った食料品調理用の段階的な案内をさらに含むことができる。この段階的な案内に、ユーザーに調理過程のそれぞれのステップを案内させることができる。例えばチリ・コン・カルネの料理レシピは、以下のステップを含むことができる：（１）肉が深鍋に入れられ、特定の温度（例えば華氏３７５度など）で特定の持続時間（例えば１０分など）きつね色に焼かれるステップ；（２）当該きつね色に焼かれた肉にタマネギおよび／または他の材料が加えられるステップ；（３）当該材料の組み合わせが、第２の特定の温度（例えば華氏３００度など）で第２の特定の持続時間（例えば５分など）だけ調理されるステップ；（４）トマト、トマトソースおよびスパイスが加えられるステップ；（５）当該材料の組み合わせが、第３の特定の温度（例えば華氏２１２度など）で第３の特定の持続時間（当該トマトソースの組み合わせが１／２に減少するまで）調理されるステップ；および、（６）食料品全体が、第４の特定の温度（例えば華氏１８０度など）で第４の特定の持続時間（例えば４時間など）調理されるステップ。
【０１０３】
この段階的な案内において、チリ・コン・カルネ用の上述の例のそれぞれのステップは、個別に表示（または、料理レシピで個別に強調することにより現在のステップを識別）させることができる。現在のステップで、無線装置１４は、料理レシピにおける現在のステップを説明する情報を表示可能であって、当該ステップ中にユーザーが何をすべきかをさらに説明する情報を表示させることができる。このステップが完了すると、ユーザーは、例えば無線装置１４で表示される「次へ」ボタンをクリックすることにより、当該ステップが完了したことを表明するように指示される。これにより、ユーザーを次のステップに誘導することができる。ユーザーは、無線装置１４のボタンまたは無線装置１４の画面をクリックすることにより、このような「次へ」ボタンを作動させることができる。加えて（またはその代わりに）、ユーザーが他の何らかのボタン（または制御装置）をクリックすることによりステップ（または段階）を検索することができる。
【０１０４】
この段階的な案内は、食料品の調理に関連する追加の情報をさらに含むことができる。例えば、チリ・コン・カルネの料理の第１のステップが、肉を（例えば５クオートの深鍋などの）調理装置８６に入れることである場合、この段階的な案内の第１のステップには、推奨される調理装置８６の写真、この肉の調理に使用されるべき推奨される熱源（例えばバーナーなど）の写真、この肉に関連する栄養の情報、この肉の元となる動物の種類に関する情報、この肉の取り扱い方法に関わる指示動画像、肉に触れた後に手を消毒することに関連する指示動画像および／または他の情報、特定のステップに関連する他の情報、あるいはこれらのあらゆる組み合わせが含まれていてもよい。
【０１０５】
特定の料理レシピ（例えばチリ・コン・カルネなど）が選択された後に、無線装置１４は、ユーザーがどの熱源システム４６を使用し、どの調理装置８２を使用して食料品を調理するかを選択させるようにユーザーに指示することができる。無線装置１４は、特定のレシピに適する可能性がある様々な熱源システム４６および調理装置８２の説明および／または写真を表示することにより、熱源システム４６および調理装置８２を選択するように、ユーザーに指示することができる。例えば、ユーザーがバーナーを使用してチリ・コン・カルネを調理する、ということを料理レシピが推奨している場合、無線装置１４は、グリルまたはストーブトップ加熱部におけるどのバーナー（例えば、レンジの上部の左前のバーナーなど）を、チリ・コン・カルネを調理するために使用する予定であるのかを選択するように、ユーザーに指示することができる。他の例として、ユーザーが５クオートの深鍋または１０クオートの深鍋を使用してチリ・コン・カルネを調理する、ということを料理レシピが推奨する場合、無線装置１４は、チリ・コン・カルネを調理するために、５クオートの深鍋と１０クオートの深鍋のどちらを使用する予定であるのかを選択するように、ユーザーに指示することができる。
【０１０６】
熱源システム４６および／または調理装置システム８２の説明および／または写真を表示するために、無線装置１４（および電子調理本３０）は、特定の台所で利用可能な熱源システム４６および／または調理装置システム８２の各々についての情報を受信することができる。この情報は、あらゆる方法で受信させることができる。例えば、熱源システム４６および／または調理装置システム８２が購入されたときに、当該熱源システム４６および調理装置システム８２を、無線装置１４および電子調理本３０に事前登録させることができる。このような事前登録により、熱源システム４６および調理装置システム８２が利用可能であることを、無線装置１４が知る（例えば特定の台所において、熱源システム４６および調理装置システム８２が利用可能であることを、無線装置１４が知る）ことができる。他の例として、無線装置１４が熱源システム４６と調理装置システム８２に通信可能であることによりこれらが利用可能であることを知ることができる。このような例において、熱源システム４６および調理装置システム８２は、熱源システム４６および調理装置システム８２のアドバタイズメントを行なうアドバタイズパケット（例えばブルートゥース（登録商標）のアドバタイズパケットなど）をブロードキャストすることができる。これにより、台所においてどの熱源システム４６や調理装置システム８２が利用可能であるかを無線装置１４が知ることができるようにしてもよい。無線装置１４はまた、熱源システム４６および調理装置システム８２からのブロードキャスト信号の強さを利用することによって、どれが近隣にあるかを判断することができる。無線装置１４はまた、例えば近距離無線通信（Near Field Communication：ＮＦＣ）などの技術を使用することで、どの熱源システム４６および調理装置システム８２が近隣にあるのかを判断することができる。いくつかの例において、熱源システム４６が上述のあらゆる技術を駆使することにより、どの調理装置システム８２がその周辺にあるかを見出し、またこの情報を無線装置１４にさらに伝達させることができる。他の例において、調理装置システム８２が上述のあらゆる技術を駆使することにより、どの熱源システム４６がその周辺にあるかを見出し、また情報を無線装置１４にさらに伝達させることができる。
【０１０７】
どの熱源システム４６および調理装置システム８２を使用して食料品を調理するのかを選択するようにユーザーに指示する代わりに（または、指示することに加えて）、無線装置１４はユーザーに、特定の熱源システム４６および／または調理装置システム８２を使用するように指示することができる。例えば、無線装置１４が料理レシピを分析することにより、どの熱源システム４６および調理装置システム８２が当該料理レシピの条件を満たしているかを判断することができる。さらに無線装置１４は、どの熱源システム４６および調理装置システム８２が台所で利用できるかをさらに判断することができる。これらの判断に基づいて無線装置１４がこれらの結果を比較することにより、当該特定の料理レシピに最も適合するものを判断することができる。加えて、無線装置１４は、どの熱源システム４６および／または調理装置システム８２を使用するかの説明および／または写真をユーザーに示すことができる。
【０１０８】
無線装置１４はまた、熱源システム４６および／または調理装置システム８２に信号を送信することにより、ユーザーが推奨される熱源システム４６、および／または、調理装置システム８２を特定するのを補助することができる。この信号により、推奨される熱源システム４６および／または調理装置システム８２が、ユーザーに指示（例えば視覚的な表示および／または音声指示など）を出すことができる。この指示を提供するために、熱源システム４６、および／または、調理装置システム８２は、点灯（または点滅）可能な照明システム、音声を発することができるスピーカーシステム、他のあらゆる表示システム、あるいはこれらの任意の組み合わせを含むことができる。この指示は、どの熱源システム４６および／または調理装置システム８２を使用するかを判断する際に、ユーザーを補助することができる。
【０１０９】
特定の熱源システム４６の選択の後に、無線装置１４は、選択された熱源システム４６との第１の通信リンクを確立することができる。この第１の通信リンクは、例えば、ストーブトップ加熱部の左前のガスバーナーとの通信リンクとの通信リンク、または、通信リンクが様々なマルチバーナーストーブトップ加熱部で共有される共通の、あるいは単一の通信リンクとすることができる。図１Ｂに示されるように、通信リンクは、ネットワーク３８に対して確立することができる。無線装置１４は、熱源システム４６とのあらゆるタイプの通信リンクを確立してもよく、また、あらゆる方法で当該通信リンクを確立することができる。例として、無線装置１４は、WPAN通信リンク（例えば、ブルートゥース（登録商標）による通信リンク、ＷｉＦｉによる通信リンク）、赤外線による通信リンク、セルラー方式の通信リンク、他のあらゆる通信リンク、またはこれらのあらゆる組み合わせを確立することができる。加えて無線装置１４は、あらゆる方法で第１の通信リンクを確立することができる。例えば無線装置１４は、通信リンク用のリクエストを他の装置に送信すること、通信リンク用の他の装置のリクエストを受け入れること、アドバタイズメントまたは他のあらゆる転送処理に応答すること、アドバタイズメントまたは他のあらゆる転送処理を送信すること、通信リンクを確立する他のあらゆる方法、あるいはこれらのあらゆる組み合わせにより、通信リンクを確立することができる。
【０１１０】
図１Ｂに示される例では、無線装置１４が熱源システム４６とのブルートゥース（登録商標）による通信リンクを確立している。この通信リンクは、あらゆるタイプのブルートゥース（登録商標）による通信リンクとすることができる。例えば、この通信リンクは１：１のブルートゥース（登録商標）によるリンクであってもよく、この場合、無線装置１４はセントラルデバイスとして作動し、熱源システム４６は周辺装置として作動する。
【０１１１】
特定の調理装置システム８２が選択されると、熱源システム４６は選択された調理装置システム８２と第２の通信リンクを確立することができる。図１Ｂに示されるように、この第２の通信リンクはネットワーク７８に対して確立することができる。熱源システム４６は、調理装置システム８２とあらゆるタイプの通信リンクを確立することができる。例として、熱源システム４６は、WPAN通信リンク（例えば、ブルートゥース（登録商標）による通信リンク、ＷｉＦｉによる通信リンク）、赤外線による通信リンク、セルラー方式の通信リンク、他のあらゆる通信リンク、有線通信リンク（例えば調理装置システム８２が、炊飯器または長時間調理用の鍋である熱源システム４６と物理的に接続している調理用の平鍋であるときなど）、またはこれらのあらゆる組み合わせを確立することができる。加えて、熱源システム４６は、あらゆる方法で当該通信リンクを確立することができる。例えば、熱源システム４６は、通信リンク用のリクエストを他の装置に送信すること、通信リンク用の他の装置のリクエストを受け入れること、アドバタイズメントまたは他のあらゆる転送処理に応答すること、アドバタイズメントまたは他のあらゆる転送処理を送信すること、通信リンクを確立する他のあらゆる方法、あるいはこれらのあらゆる組み合わせを用いて、通信リンクを確立することができる。
【０１１２】
（熱源システム４６と調理装置システム８２との間における）第２の通信リンクは、（無線装置１４と熱源システム４６との間における）第１の通信リンクと同様のタイプの通信リンクとすることができる。例えば、第２の通信リンクおよび第１の通信リンクの両方を、ブルートゥース（登録商標）による通信リンクとすることができる。他の例として、第２の通信リンクと第１の通信リンクは、異なるタイプの通信リンクとすることができる。例えば、第２の通信リンクを有線の通信リンクとし、第１の通信リンクをブルートゥース（登録商標）による通信リンクまたはＷｉＦｉによる通信リンクとすることができる。
【０１１３】
図１Ｂに図示の例では、熱源システム４６と調理装置システム８２との間の第２の通信リンクは、ブルートゥース（登録商標）による通信リンクである。この第２の通信リンクは、あらゆるタイプのブルートゥース（登録商標）による通信リンクが可能であって、また、この第２の通信リンクはあらゆる方法で確立することができる。
【０１１４】
例えば第２の通信リンクは、熱源システム４６が調理装置システム８２からブルートゥース（登録商標）のアドバタイズパケットを受信する通信リンクであってもよく、その後、熱源システム４６はこのブルートゥース（登録商標）のアドバタイズパケットを使用し、調理装置システム８２からブルートゥース（登録商標）のスキャン応答パケット（または、他のタイプのパケット）をリクエストすることができる。熱源システム４６は、あらゆる方法でこのような第２の通信リンクを確立することができる。例えば、熱源システム４６は、この通信リンクを無線装置１４から受信した情報に基づいて確立することができる。このような例において、無線装置１４は、調理装置システム８２によりブロードキャストされたブルートゥース（登録商標）のアドバタイズパケットから、調理装置システム８２の固有識別子を取得することができる。その後、無線装置１４は、調理装置システム８２のこのブルートゥース（登録商標）の固有識別子を、熱源システム４６に送信することができる。熱源システム４６は、このブルートゥース（登録商標）の固有識別子を使用して、調理装置システム８２によりブロードキャストされたもの以外の、他のあらゆるブルートゥース（登録商標）のアドバタイズパケット（または他のアドバタイズパケット）を除去または無視することができる。加えて、熱源システム４６が調理装置システム８２からブルートゥース（登録商標）のアドバタイズパケットを受信するとき、熱源システム４６がこのブルートゥース（登録商標）のアドバタイズパケットの識別子を使用して、調理装置システム８２からブルートゥース（登録商標）のスキャン応答パケット（または、他のタイプのパケット）をリクエストすることができる。
【０１１５】
他の例において、第２の通信リンクは、調理装置システム８２が熱源システム４６のブルートゥース（登録商標）の固有識別子を取得する通信リンクとすることが可能であって、その後、調理装置システム８２は、このブルートゥース（登録商標）の固有識別子を使用することにより、（例えばスキャン応答パケットなどの）パケットを熱源システム４６に直接送信することができる。このような例において、調理装置システム８２は、無線装置１４から熱源システム４６のブルートゥース（登録商標）の固有識別子を取得可能である。例えば無線装置１４は、熱源システム４６によりブロードキャストされたブルートゥース（登録商標）のアドバタイズパケットから（または、熱源システム４６との１：１のブルートゥース（登録商標）による接続から）熱源システム４６用のブルートゥース（登録商標）の固有識別子を取得可能であって、その後、無線装置１４は、この熱源システム４６用のブルートゥース（登録商標）の固有識別子を、調理装置システム８２に送信することができる。その後、調理装置システム８２は、このブルートゥース（登録商標）の固有識別子を使用して、（例えばスキャン応答パケットなどの）パケットを、例えば熱源システム４６に直接送信することができる。
【０１１６】
特定の調理装置システム８２を選択した後で、無線装置１４はまた、選択された調理装置システム８２に対して第３の通信リンクを確立することができる。図１Ｂに示されるように、この第３の通信リンクはネットワーク４２に対して確立されてもよい。無線装置１４は、調理装置システム８２とのあらゆるタイプの通信リンクを確立することができる。例として無線装置１４は、WPAN通信リンク（例えば、ブルートゥース（登録商標）による通信リンク、ＷｉＦｉによる通信リンク）、赤外線による通信リンク、セルラー方式の通信リンク、他のあらゆる無線通信リンク、またはこれらのあらゆる組み合わせ、を確立することができる。加えて、無線装置１４は、あらゆる方法で通信リンクを確立することができる。例えば、無線装置１４は、通信リンク用のリクエストを他の装置に送信すること、通信リンク用の他の装置のリクエストを受け入れること、アドバタイズメントまたは他のあらゆる転送処理に応答すること、アドバタイズメントまたは他のあらゆる転送処理を送信すること、通信リンクを確立する他のあらゆる方法、あるいはこれらのあらゆる組み合わせを用いて、通信リンクを確立することができる。
【０１１７】
（無線装置１４と調理装置システム８２との間における）第３の通信リンクは、（熱源システム４６と調理装置システム８２との間における）第２の通信リンクや（無線装置１４と熱源システム４６との間における）第１の通信リンクと同様のタイプの通信リンクとすることができる。例えば、第３の通信リンク、第２の通信リンクおよび第１の通信リンクのそれぞれは、ブルートゥース（登録商標）による通信リンクとすることができる。他の例として第３の通信リンクは、第２の通信リンクおよび／または第１の通信リンクと異なるタイプの通信リンクとすることができる。例えば、第３の通信リンクをＷｉＦｉによる通信リンクとし、第２の通信リンクを有線の通信リンクとし、第１の通信リンクをブルートゥース（登録商標）による通信リンクとすることができる。
【０１１８】
図１Ｂに図示の例では、無線装置１４と調理装置システム８２との間の第３の通信リンクは、ブルートゥース（登録商標）による通信リンクである。この第３の通信リンクは、あらゆるタイプのブルートゥース（登録商標）による通信リンクとすることができる。例えば、第３の通信リンクは、無線装置１４が調理装置システム８２からブルートゥース（登録商標）のアドバタイズパケットを受信する通信リンクであってもよく、無線装置１４はこのブルートゥース（登録商標）のアドバタイズパケットを使用して、調理装置システム８２からブルートゥース（登録商標）のスキャン応答パケット（または、他のタイプのパケット）をリクエストする。これにより、無線装置１４が測定情報７４を受信することを可能にすることができ、このような測定情報７４を無線装置１４の表示器でユーザーに表示することができる。例えば、無線装置１４は、食料品に関連する現在温度の表示を受信可能であって、食料品に関連する現在温度のグラフ図（例えば、華氏３７５度のグラフ図）を表示することができる。無線装置１４により表示可能なグラフィック表現の例は図２に図示されており、これには食料品に関連する現在温度、熱源５０により提供されているエネルギー量、および／または、食料品の調理に関連するその他情報が含まれている。いくつかの例において、ブルートゥース（登録商標）のスキャン応答およびスキャン応答パケット、または同様のブロードキャストパケットを使用することにより、調理装置システム８２および無線装置１４が１：１の通信リンクを有する必要性をなくすことができる。
【０１１９】
無線装置１４と熱源システム４６との間に第１の通信リンクが確立されると、無線装置１４は熱源システム４６に調理指示７０を送信することができる。調理指示７０は、食料品の調理に関連するあらゆる情報を含むことができる。例えば、調理指示７０は、食料品が調理されるべき温度および／または食料品が特定の温度で調理されるべき持続時間を含むことができる。加えて、調理指示７０は、食料品に加えられるべき材料、食料品を調理するためにユーザーにより実行されるべきステップ、食料品の調理に関連する他のあらゆる情報、あるいはこれらのあらゆる組み合わせを含むことができる。
【０１２０】
調理指示７０は、レシピ全体の情報を含んでもよく、または、レシピの一部のみの情報を含むことができる。例えば、調理指示７０は、食料品調理用の段階的な案内における特定のステップに対する情報のみを含むことができる。このような例において、特定のステップが終了したときに、追加の調理指示７０を熱源システム４６に送信することができる。これらの追加の調理指示７０は、次のステップに関する情報を含むことができる。他の例として、調理指示７０は、食品を調理する段階的な案内における２以上の特定のステップに関する情報を含むことができる。これらの調理指示７０に、ユーザーが料理レシピを通して進行するにつれて、（必要に応じて）追加の調理指示７０が補充されてもよい。
【０１２１】
図示の例では、調理指示７０には、料理レシピの少なくとも１つのステップに関して、少なくとも１つの温度の表示、および持続時間の表示が含まれている。当該表示は、熱源システム４６が温度および／または持続時間を判断することのできるデータ（または他の情報）とすることができる。例えば、当該表示は、温度自体（例えば、華氏３７５度など）および／または持続時間自体（例えば１０分など）であってもよく、あるいは、熱源システム４６により使用されることで温度および／または持続時間を判断するための信号またはポインタ（または他のあらゆるタイプのデータ）とすることができる。チリ・コン・カルネ用の料理レシピに関して上述した例において、調理指示７０は、（華氏３７５度で１０分間、肉をきつね色に焼くことを提供する）料理レシピの第１のステップに関連する情報を含むことができる。このようなものとして、調理指示７０は、この第１のステップに関して、温度の表示（例えば華氏３７５度）および持続時間の表示（例えば１０分間）を含むことができる。
【０１２２】
調理指示７０は、無線装置１４から第１の通信リンクにより受信されたものとして記載されているが、いくつかの例において、無線装置１４は中継装置を利用して調理指示７０を提供することができる。例えば、（無線装置１４と熱源システム４６との間における）第１の通信リンクが切れた場合（または、情報のバックアップセットが求められている場合）、無線装置１４は（例えば、他の無線装置１４や調理装置システム８２などの）中継装置により、熱源システム４６に調理指示７０を送信することができる。
【０１２３】
熱源システム４６は、（華氏３７５度の温度の表示および１０分間の持続時間の表示を含んでいる）調理指示７０の受信に基づいて、（例えば、プロセッサ５８を用いて）熱源５０を作動させ、これにより調理装置システム８２の調理装置８６にエネルギーの供給を開始させることができる。あるいは、熱源５０がすでに作動している場合、熱源システム４６は（例えばプロセッサ５８を用いて）熱源５０により調理装置８６に供給されているエネルギー量を調節することができる。
【０１２４】
熱源５０により供給されているエネルギー量はまた、食料品を調理するために使用されている調理装置システム８２の種類に基づくものとすることができる。例えば、熱源システム４６は、特定の調理装置システム８２に関連するプロファイルを保存（またはアクセス）することができる。このようなプロファイルは、調理装置８６の種類（例えば深鍋）、調理装置８６の容積（例えば５クオート）、調理装置８６の材料の種類（例えば銅製の底部）、調理装置システム８２の調理装置８６に関連する他のあらゆる情報、またはこれらのあらゆる組み合わせを含むことができる。このプロファイルを使用して、熱源システム４６は、熱源５０により調理装置８６に供給されるエネルギー量を調節することができる。例えば、調理装置８６は、より低いエネルギー量でより高い温度まで熱くなる材料で作成されている場合、熱源システム４６は（例えばプロセッサ５８を用いて）、調理装置８６に供給されるエネルギー量をこのようなプロファイルに従って調節することができる。
【０１２５】
熱源５０が調理指示７０に従って調理装置８６にエネルギーを供給している間に、熱源システム４６は、食料品の調理を補助することのできる調理装置システム８２から情報を受信することができる。上述されるように、調理装置システム８２は、食料品に関連する測定値を測定または感知（または、他の方法で提供）することのできる測定センサ９０を含むことができる。例えば、測定センサ９０は、食料品に関連する現在温度（例えば、食料品の現在温度、食料品に隣接する調理装置８６の一部の現在温度、または食料品が調理されている現在温度など）を測定することができる。調理装置システム８２は、測定センサ９０からの測定値に基づき、第２の通信リンクを使用して、測定情報７４を熱源システム４６に送信することができる。
【０１２６】
測定情報７４は、測定センサ９０を使用して測定可能なあらゆる情報を含むことができる。例えば、測定情報７４は、食料品が調理されている現在温度の表示を含むことができる。当該表示は、食料品が調理されている現在温度を熱源システム４６が判断することを可能にするデータ（または他の情報）であってもよい。例えば、当該表示は、現在温度自体（例えば華氏３７５度）であってもよく、または、熱源システム４６により使用されて現在温度が華氏３７５度であることを判断する信号またはポインタ（または他のあらゆるタイプのデータ）であってもよい。加えて（またはその代わりに）測定情報７４は、食料品の現在の液面水位の表示、または食料品の調理に関連する他のあらゆる測定可能な情報の表示を含むことができる。
【０１２７】
熱源システム４６は、測定情報７４を使用して、調理装置８６に加えられているエネルギー量を（連続的または定期的に）確認することができる。例えば、熱源５０が、華氏３７５度での食料品の調理を意図するエネルギー量を提供している一方で、この食品が華氏３５０度の温度で調理されていることを測定情報７４が示す場合、熱源システム４６は調理装置８６に加えられるエネルギー量を増加させることができる。他の例として、熱源５０が、華氏３７５度での食料品の調理を意図するエネルギー量を提供している一方で、この食品が華氏４００度の温度で調理されていることを測定情報７４が示す場合、熱源システム４６は調理装置８６に加えられるエネルギー量を減少させることができる。さらなる例として、熱源システム４６は、華氏３７５度での食料品の調理を意図するエネルギー量を提供している一方で、この食品が華氏３７５度の温度で調理されていることを測定情報７４が示す場合、熱源システム４６は、熱源５０が調理装置８６にこれまでと同じ量のエネルギーを供給し続けることを可能とすることができる。さらなる例として、現在の調理温度が意図された温度の華氏３７５度未満であるものの、この意図された温度を通り過ぎる虞があるように急速に上昇していることを測定情報７４が示している場合、熱源システム４６は、熱源５０により提供されるエネルギー量を減少させることができる。さらなる例として、一連の温度測定値７４におけるフィードバックアルゴリズムまたはフィードフォワードアルゴリズム（例えば、ＰＩＤアルゴリズムなど）の動作に基づいて、熱源システム４６は、熱源５０により提供されるエネルギーをあらゆる様々な量に調整することができる。調理に使用される例示的なPIDアルゴリズムは「Oven control utilizing data-driven logic」と題する米国特許第８,６９２,１６２号明細書および「Automatic temperature control device for solid fuel fired food cooker」と題する米国特許第８,８００,５４２号明細書に記載されており、何れも本明細書の一部を構成するものとして援用される。
【０１２８】
熱源システム４６は、測定情報７４をさらに使用することにより調理の過程における潜在的なエラーを（連続的または定期的に）確認することができる。例えば、ユーザーは、誤った調理装置システム８２を熱源５０の上に配置する虞がある。このような例において、熱源システム４６は、測定情報７４および正しい調理装置システム８２のプロファイルを利用することにより、誤った調理装置システム８２が現在熱源５０の上に配置されていると判断することができる。具体的には、正しい調理装置システム８２のプロファイルは、正しい調理装置システム８２に加えられた特定の量のエネルギー（例えば、中レベル〜高レベル）により、当該食料品が特定の温度（例えば華氏３７５度など）で調理されるはずである、ということを示すことができる。しかしながら、誤った調理装置システム８２が熱源５０の上に配置されている場合、正しい調理装置システム８２から受信した測定情報７４は、熱源５０により提供されているエネルギー量に対して現在温度が低すぎる、ということを示すことができる。これに基づいて、熱源システム４６は、誤った調理装置システム８２が熱源５０の上に配置されていると判断することができる。その後、熱源システム４６が無線装置１４にエラー信号を送信可能であって、これによりユーザーにエラーを警告することができる。このようなエラー訂正システムは、複数の熱源５０が複数の調理装置８６にエネルギーを加えるために使用され、これにより複数の異なるタイプの食料品を、同様の（または同一の）持続時間で調理しているときに特に有利となる場合がある。熱源５０はまた、当該熱源５０の近傍の様々な調理装置システム８２から来ているあらゆる無線信号の強度を分析することにより、調理目的のためにどの調理装置システム８２が当該熱源５０の上部または中に配置されるのかを判断することができる。
【０１２９】
さらなる例として、熱源システム４６が測定情報７４を利用することにより、（例えば、食料品の酸性度が不適切か否かなど）誤った材料が調理装置システム８２に入れられていること、（例えば、調理装置８６の重量が重すぎる（または軽すぎる）場合などに）多すぎる（または少なすぎる）特定の材料が調理装置システム８２に入れられていること、調理装置８６がいっぱいであること（または少なすぎること）食料品が沸騰している（または、他の任意の相変化が発生している）こと、食料品がまさに吹きこぼれようとしていること、食料品が完全に吹きこぼれたこと、食料品の酸性度が不適切であること、食料品が不適切に加熱されていること、食料品が所望の質感（例えば、カリカリしているなど）または仕上がり具合に達していること、調理装置８６の蓋が調理装置８６から取り外されている（または、調理装置８６に付いたままである）こと、調理過程のエラーに関連する他のあらゆる情報、あるいはこれらの組み合わせ、を判断することができる。
【０１３０】
上述されるように、調理装置システム８２は、熱源システム４６に測定情報７４を提供することができる。調理装置システム８２は、あらゆる方法で測定情報７４を提供することができる。例えば、理装置システム８２は、ブルートゥース（登録商標）による通信リンクを使用して測定情報７４を送信することができる。そのようにするために、調理装置システム８２は、調理装置システムを識別可能な、ブルートゥース（登録商標）のアドバタイズパケットを周期的に送信することができる。熱源システム４６がこのようなブルートゥース（登録商標）のアドバタイズパケットを受信すると、熱源システム４６は調理装置システム８２から追加の情報をリクエストすることができる。このリクエストに応じて、調理装置システム８２が１以上の測定センサ９０を作動させて、これにより当該測定センサ９０からの測定値の受信を開始させることができる。これらの測定値に基づいて、調理装置システム８２は測定情報７４を作成可能であって、また調理装置システム８２は、この測定情報７４を、ブルートゥース（登録商標）のスキャン応答パケット（または他の任意のタイプのブルートゥース（登録商標）のパケット）に挿入することができる。測定情報７４は、例えば、メーカーに特有のアドバタイジングデータとして保存された特定のフィールドなどの、ブルートゥース（登録商標）のスキャン応答パケットにおける、あらゆる適切なフィールドに追加することができる。その後、このブルートゥース（登録商標）のスキャン応答パケットを、追加の情報をリクエストした熱源システム４６にブロードキャスト（または他の方法で送信）することができる。いくつかの例において、ブルートゥース（登録商標）のスキャン応答パケットが構成されるたびに、最新の測定情報７４を当該ブルートゥース（登録商標）のスキャン応答パケットに組み込むことができる。
【０１３１】
通常、ブルートゥース（登録商標）のスキャン応答パケットは、周辺装置に使用されるパケットであって、これによりブルートゥース（登録商標）のアドバタイズパケットに組み込まれるより多くの情報が提供される。この追加の情報は、周辺機器が提供するサービスについてのアドバタイズパケットやスキャン応答パケットを調べる装置、周辺機器の名称、および、周辺機器との接続を所望するかどうかを判断するためにアドバタイズパケットの受信者が知りたいかもしれない関連情報、を通知することができる。（その内容が常に同一である）従来のブルートゥース（登録商標）のスキャン応答パケットとは異なり、調理装置システム８２により作成されたブルートゥース（登録商標）のスキャン応答パケットは、ブルートゥース（登録商標）のスキャン応答パケットがそれぞれ、（時間と共に変化する可能性がある）最新の測定情報７４を含むことができるため、連続するブルートゥース（登録商標）のスキャン応答パケット間で変化するコンテントを含むことができる。アドバタイズパケットおよび／またはスキャン応答パケット（またはスキャンパケット）に関する追加の情報は、以下の文献に記載され、これらの全てが参照により本明細書に組み込まれる：「Connection Setup for Low Energy Wireless Networks Based on Scan Window and Scan Interval Estimation」と題する米国特許出願公開第２０１３/０００３６３０ 号明細書；「Method and Technical Equipment for Short Range Data Transmission」と題する米国特許出願公開第２０１４/０３２１３２１ 号明細書；「Method, Apparatus, and Computer Program Product for ネットワーク Discovery」と題する米国特許出願公開第２０１５/０１７２３９１ 号明細「Method, Apparatus, and Computer Program Product for Service Discovery in Wireless Short-Range Communication」と題する米国特許出願公開第２０１５/０１７２９０２ 号明細書；「Low Power Consumption Short Range Wireless Communication System」と題する米国特許出願公開第２０１６/００２９１４９ 号明細書；「Short-Range RF Access Point Design Enabling Services to Master and Slave Mobile Devices」と題する米国特許第 ６,７９５,４２１ 号明細書；「Short-Range RF Access Point Design Enabling Services to Master and Slave Mobile Devices」と題する米国特許第７,６０２,７５４ 号明細書；「Non-Networked Messaging」と題する米国特許第 ８,５８８,６８８ 号明細書；「Method and System for a Dual-Mode Bluetooth Low Energy Device」と題する米国特許第 ８,７３７,９１７ 号明細書；「Concurrent Background Spectral Scanning for Bluetooth Packets While Receiving WLAN Packets」と題する米国特許第８,８１７,７１７ 号明細書；「Bluetooth Low Energy Module Systems and Methods」と題する米国特許第 ９,１８５,６５２ 号明細書；「Method, Apparatus, and Computer Program Product for Service Discovery in Short-Range Communication Environment」と題する米国特許第 ９,２５８,６９５ 号明細書；「Short-Range Wireless Controller Filtering and Reporting」と題する米国特許第９,３５７,３４２ 号明細書；「Method and Technical Equipment for Short Range Data Transmission」と題する米国特許第９,４１４,２１７ 号明細書；「Method and Apparatus for Receiving Content Based on Status of Terminal」と題する米国特許第９,４５６,２９５ 号明細書；「Method and Apparatus for Bluetooth-Based General Service Discovery」と題する米国特許第９,５３８,３５６ 号明細書； および「Method, Apparatus, and Computer Program Product for Non-Scannable Device Discovery」と題する米国特許第９,５４４,７５５号明細書。
【０１３２】
いくつかの例において、これらのステップにより、調理装置システム８２が、（例えばバッテリーなどの）その動力源を節約することを可能にし、動力源を長持ちさせることを可能にしている。例えば、ブルートゥース（登録商標）のスキャン応答パケットを用いて情報を送信することにより、いくつかの例において、ブルートゥース（登録商標）による正式な接続の確立および維持に関連する計算およびバッテリー寿命を制限するオーバーヘッドなくして、調理装置８２は（例えば現在温度データなどの）現在の測定情報７４を送信することができる。他の例として、調理装置システム８２は、追加の情報がリクエストされたときに、その測定センサ９０のみを利用することができる。これにより測定センサ９０が、（例えば、調理装置システム８２が全く使用されていないときなど）長期間にわたって休止状態を続けることを可能にし、かつ、調理装置システム８２により使用されているエネルギー量を低減させることを可能にしている。他の例において、調理装置システム８２は、その測定センサ９０を常に使用していてもよく、または、ユーザーが（例えば電源ボタンを押すことによってなど）調理装置システム８２をオンにしているときにその測定センサ９０を使用することができる。このような例において、調理装置システム８２は、測定センサ９０が起動されたときにいつでも測定情報７４を送信することが可能となり、または、測定情報７４がリクエストされたときだけ測定情報７４を送信することができる。
【０１３３】
上述されたステップはブルートゥース（登録商標）による通信リンクに関して説明されているが、このようなステップ（または同様のステップ）は、他のあらゆる通信リンクに対して実行することが可能であって、このようなものとしては例えば、他のＷＰＡＮによる通信リンク（例えば、低消費電力のブルートゥース（登録商標）、ブルートゥース  ５、ＡＮＴ＋、ジグビー（ＩＥＥＥ  ８０２．１５．４）、他のＩＥＥＥ  ８０２．１５．４のプロトコル、限定なしのＩＥＥＥ  ８０２．１１Ａ、ＢまたはＧ、およびＷｉＦｉ（ＩＥＥＥ  ８０２．１１）など）、セルラー方式の通信リンク、赤外線による通信リンク、他のあらゆる無線通信リンク、他のあらゆる通信リンク、あるいはこれらの任意の組み合わせなどのを挙げることができる。加えて、測定情報７４は（第２の通信リンクを使用している）熱源システム４６に送信されているものとして上述されているが、測定情報７４は（第３の通信リンクを使用している）無線装置１４に送信することもできる。このような例において、無線装置１４は、（上述されるように）アドバタイズパケットを受信した後でも、追加の情報をリクエストすることができる。測定情報７４を受信することにより、無線装置１４は、測定情報７４に含まれる情報（例えば、食料品に関連する現在温度など）をユーザーに表示することができる。無線装置１４はまた、（熱源システム４６と調理装置システム８２との間における）第２の通信リンクが切れた場合（または、情報のバックアップセットが求められる場合）、熱源システム４６にこの情報を提供することが可能であって、および／または、熱源システム４６は、（無線装置１４と熱源システム４６との間における）第３の通信リンクが切れた場合（または、情報のバックアップセットが求められる場合）、無線装置１４にこの情報を提供することができる。
【０１３４】
熱源５０が調理指示７０に従って調理装置８６にエネルギーを供給している間、熱源システム４６は、これまで調理装置８６にエネルギーが供給されていた時間を記録することができる。これにより、熱源システム４６が、特定の持続時間、特定の温度で食料品を調理することが可能になる。例えば、上述されるように、食料品が華氏３７５度で１０分間調理されるべきであることを、調理指示７０が示してもよい。このような例において、熱源システム４６は、この特定のステップのためにこれまで調理装置８６にエネルギーが供給されていた時間を記録することができる。この持続時間が経過したとき（またはこの持続時間が経過寸前であるとき、例えば経過する５分前、経過する２分前および／または経過する１分前など）、熱源システム４６は、この持続時間が経過したこと（または、この持続時間が経過寸前であること）を示している信号を無線装置１４に送信することができる。これにより無線装置１４がユーザーに警告をすることができて、これは音声を発すること、振動すること、ユーザーにメッセージを送信すること、ユーザーに電話すること、またはユーザーに警告する他の任意の方法を用いて警告することができる。この警告は、ユーザーに次のステップに進む時間である（または、そろそろ次のステップに進む時間である）ということを通知することができる。
【０１３５】
加えて（または、その代りに）、無線装置１４はまた、この特定のステップのために経過した時間を記録することができる。例えば、無線装置１４は、熱源システム４６からの信号を受信することなく、時間をユーザーに警告することができる。さらに無線装置１４はまた、当該持続時間に残されている時間（例えば、次のステップまで残り２分３０秒など）の連続的なカウントダウン（または、定期的な更新）を提供することができる。
【０１３６】
料理レシピのステップ（例えば、華氏３７５度で１０分間、肉をきつね色に焼く第１のステップなど）が完了すると、無線装置１４は次のステップに進むことができる。この次のステップ（調理レシピのステップ２など）へ進むことにより、無線装置１４が次のステップをユーザーに表示させることができる。あるいは、複数のステップが無線装置１４により既に表示されている場合、このように次のステップへ進むことにより、当該次のステップが今現在のステップとなっていることを何らかの方法で表示部に示されるようにして、次のステップを強調させることができる。次のステップへ進むことにより、無線装置１４に、新たな調理指示７０を熱源システム４６に送信させることができる。この新たな調理指示７０は、新たなステップに関連する情報を含むことができる。あるいは熱源システム４６が、料理レシピの調理指示７０のすべて（または２つ以上のセット）に既にアクセスしている場合、無線装置１４が命令を熱源システム４６に送信することにより、調理指示７０の次のステップに進むことができる。
【０１３７】
チリ・コン・カルネの例に関して上述されるように、次のステップ（例えばステップ２）には、ユーザーがタマネギおよび他の材料を加えることが含まれていてもよい。このような例において、新たな調理指示７０は、熱源システム４６が、ユーザーにタマネギおよび他の材料を加えるための持続時間（例えば５分）にわたって同一の温度（例えば華氏３７５度）を提供し続けるべきであることを示す情報を含むことができる。
【０１３８】
ユーザーがこの次のステップが完了すると、ユーザーは、例えば電子調理本３０における「次へ」ボタンをクリックすることによって、当該ステップが完了したことを無線装置１４に示すことができる。加えて（または、その代わりに）、熱源システム４６が、当該ステップを完了した時間を判断しようと試みることができる。例えば、熱源システム４６は、食料品に食材を加えることにより、食料品に関連する現在温度に突然の変化が生じるであろうことを示す情報を記憶することができる。このような例において、熱源システム４６は、食材が加えられた後、当該食材が加えられたことと整合性がとれるような方法で、食料品に関連する現在温度が突然変化していることを示す測定情報７４を受信することができる。これに基づいて、熱源システム４６が無線装置１４に信号を送信し、当該ステップが完了したことを示すことができる。これにより、当該ステップを完了したことをユーザーが手動で示す必要がなくなる
【０１３９】
あるいは、ステップが完了したことをユーザーが誤って指示している場合、熱源システム４６は、この指示が誤りであると判断することができる。例えば、熱源システム４６が、食料品が調理されている現在温度が急に変化し、食材の追加と整合性がとれることを示す測定情報７４を受信しない場合、熱源システム４６は食材が加えられていないと判断することができる。例えば、熱電システム４６はエラーメッセージを無線装置１４に送信することができ、これにより無線装置はユーザーにエラーを警告することができる。
【０１４０】
ステップが完了（例えば、タマネギおよび他の食材が食料品に加えられるステップ２の完了など）すると、無線装置１４は次のステップに進むことができる。前のステップと同様に、このように次のステップへ進むことにより、次のステップをユーザーに表示させてもよく、新たな調理指示７０を熱源システム４６に送信させることができる。チリ・コン・カルネの例に関して上述されるように、次のステップ（例えばステップ３）に、食材の組み合わせを華氏３００度で５分間にわたって調理することを含めることができる。このような例において、この新たな調理指示７０に、特定の温度（例えば華氏３００度）および特定の持続時間（例えば５分）を含めることができる。
【０１４１】
このような例において、熱源システム４６は調理指示７０に従って調理装置８６に供給されるエネルギー量を減少させることが可能で、これにより華氏３００度のより低い温度で食料品を調理することができる。上述されたステップと同様に、調理システム４６は調理装置システム８２から測定情報７４を受信し続けてもよく、これにより、熱源システム４６が調理装置８６に供給されるエネルギー量を確認することができる。さらに、熱源システム４６はまた、現在のステップで経過した時間を記録することができる。
【０１４２】
（上述された）調理システム１０の構成部品により実行される動作は、料理レシピのそれぞれのステップで継続させることができる。料理レシピの全てのステップが完了すると（例えば、ユーザーが、電子調理本３０において、全てのステップが完了したことを示したとき）、無線装置１４は、熱源システム４６に最終的な調理指示７０を送信することができる。この最終的な調理指示７０には、調理装置８６に供給されている全てのエネルギーを遮断するという熱源システム４６への命令が含まれていてもよい。したがって、料理レシピの全てのステップが完了すると、無線装置１４は、熱源システム４６に熱源５０を自動的に停止させることが可能であって、これによりユーザーが手動で熱源５０を停止しなくても（または、熱源５０の停止を思い出さなくて）よくなる。
【０１４３】
調理システム１０、調理システム１０の構成部品、および／または調理システム１０の機能に関しては、本明細書の範囲を逸脱することなく改良、追加、および／または置換が可能である。例えば、調理システム１０には、本明細書に参照により組み込まれる「Automated Cooking Control Via Enhanced Cooking Equipment」と題する米国特許出願公開第２０１６/００５１０７８に記載（および／またはクレーム）されている、一以上の（または全ての）構成部品、機能、および／または能力を含むことができる。
【０１４４】
上述されたステップに加えて、いくつかの例において、料理レシピを進めるときに調理システム１０が問題にぶつかる可能性がある。一例として、ユーザーが、調理されている食品から離れて、例えば他の部屋などに移動する場合が考えられる。そうすることで、ユーザーは（例えば、彼らの携帯電話や彼らのタブレットなどの）無線装置１４を持参することができる。例えば、電話をかけるため、当該無線装置１４に記憶された動画像または写真を家族に示すため、インターネットを閲覧するため、（例えば、ユーザーが単に無線装置１４を携帯する場合など、行動が全くないことも含まれる）無線装置１４を使用して他の行動を実行するため、または、これらの任意の組み合わせのために、ユーザーは無線装置１４を別の部屋に持参することができる。これにより無線装置１４が、熱源システム４６および／または調理装置システム８２との通信範囲外に移動してしまう可能性があり、これにより第１の通信リンクおよび／または第３の通信リンクが（少なくとも一時的に）切れてしまう虞がある。
【０１４５】
このように調理されている食料品から離れ移動することは問題となる場合が多い。特にユーザーは、食料品が調理されていることを忘れる可能性があり、これにより火災が生じる可能性がある。さらに、ユーザーが通信範囲から離れて移動するたびに熱源を停止させることは、ユーザーが（例えば、数秒または数分などの）わずかな時間だけ食料品を放置する可能性も考えられるため、不利となる虞がある。また数多くの食料品が、弱火で長時間にわたって調理されることも考えられる。ユーザーが通信範囲から離れたときに熱源が停止するのであれば、ユーザーは全調理過程の間中（３〜４時間の可能性がある）、通信範囲内に留まらざるを得ない。しかし、これとは対照的に、本調理システム１０は、上述されるように、熱源システム４６と調理装置システム８２との間の第２の通信リンクを利用することができる。この第２の通信リンクにより、ユーザーおよび／または無線装置１４が熱源システム４６の通信範囲外に移動する場合でも、食品を料理レシピに従って調理し続けることができる。
【０１４６】
上述されるように、熱源システム４６は、無線装置１４から調理指示７０を受信することができる。これらの調理指示７０は、（例えば、華氏３７５度で１０分間にわたってなどの）特定の調理温度および特定の持続時間を含むことができる。これらの調理指示７０を使用して、熱源システム４６は、華氏３７５度で１０分間にわたって食料品を調理することが意図されるエネルギーを、供給することができる。さらに熱源システム４６は、調理装置システム８２から測定情報７４を受信することができて、これにより、熱源システム４６が、調理装置８６に供給されるエネルギー量を（連続的または定期的に）確認することが可能となり、および／または調理過程のエラーを確認することができる。
【０１４７】
無線装置１４が熱源システム４６および／または調理装置システム８２の通信範囲外に移動する場合（または、移動するとき）（例えば、無線装置１４を使用して電話をかけるため、またはインターネットを閲覧するために、ユーザーが無線装置１４を他の部屋に持参する場合など）でも、熱源システム４６は、第２の通信リンクを使用して調理装置システム８２と通信可能とすることができる。このようなものとして、熱源システム４６は依然として調理システム８２から測定情報７４を受信してもよく、これにより、熱源システム４６は、調理装置８６に供給されるエネルギー量を確認することができ、および／または、調理過程のエラーを確認することができる。したがって、調理指示７０に従って調理を継続させることができる。
【０１４８】
熱源システム４６によるこのような操作は、無線装置１４が通信範囲外に移動した後、任意の持続時間にわたって継続させることができる。一例において、熱源システム４６によるこのような操作は、持続時間が経過するまで継続させることができる。例えば、食料品が華氏３７５度で１０分間調理されることを調理指示７０が示した場合、熱源システム４６は、当該１０分間の間、華氏３７５度で調理し続けることができる。
【０１４９】
当該１０分間の終了前に無線装置１４が通信範囲内に戻った場合、熱源５０は調理指示７０に従って（および、第２の通信リンクを用いて）華氏３７５度で食料品を調理し続けることができるので、調理過程に変更を生じさせなくとも構わない。さらに、ユーザーが次のステップを実行するということであれば、調理過程に変更を生じさせなくとも構わない
【０１５０】
あるいは、（例えば、電話が長時間にわたった場合など）無線装置１４が通信範囲内に戻ることができる前に当該１０分の持続時間が経過した場合、熱源システム４６は調理指示７０を使用して次のステップを判断することができる。例えば、調理指示７０は、（例えば華氏１５０度などの）保持温度および（例えば３０分などの）保持時間を含むことができ、これにより熱源５０に食品を、当該保持時間にわたって当該保持温度で温め続け（または、調理し続け）させることができる。これにより、調理過程を完全に台無し（または停止）することなく、ユーザーが無線装置１４を通信範囲内に持ち帰るための追加の時間を与えることができる。当該保持時間が経過する前に無線装置１４が通信範囲内に戻ってこない場合、熱源システム４６は熱源５０を停止させてもよく、または、第二の持続時間にわたって第二の保持温度に移行させることができる。
【０１５１】
他の例として、調理指示７０は、一足先のステップ（jump ahead step）を含むことができる。鶏肉をローストする料理レシピに関するこの一例として、ローストチキン用の料理レシピのステップがほぼ全て完了した場合（例えば、まだ完了していない唯一のステップが、長いロースト期間の前にいくつかのスパイスを鶏肉に加えるなど些細なステップである場合など）、当該一足先のステップにより、料理レシピを最後のステップ（または、次の主要な調理ステップ）にスキップさせてもよく、ここでは、例えば、鶏肉が華氏３７５度で２時間にわたってローストされる。この一足先のステップにより、鶏肉を完全にローストすることができる（ただし、少量の些細な追加食材を除く）。このように、無線装置１４が通信範囲外に移動して持続時間が経過した後まで戻らなくても、レシピ全体が台無しにされることはない。
【０１５２】
さらに、無線装置１４が通信範囲の外側に移動したことが判断されると、無線装置１４は、この問題をユーザーに通知しようと試みることができる。例えば、無線装置１４は、音声アラームを発してもよく、振動してもよく、無線装置１４の表示画面を変更（例えば、画面の色を赤色に変更するなど）してもよく、ユーザーにメールを送信してもよく、ユーザーに電話してもよく、または、他の任意の警告をユーザーに提供してもよい。また、例えばコンピュータやスマートテレビなど別の装置に配信される代替的な通信機構により、ユーザーに警告しようと試みることもできる。また無線装置１４が、熱源システム４６および／または調理装置システム８２に対して異なる通信リンクを確立しようと試みることにより、無線装置１４は、通信の問題を自動的に解決しようと試みることができる。例えば、無線装置１４が通信範囲の外側に移動するときに、無線装置１４がブルートゥース（登録商標）による通信リンクを使用している場合、無線装置１４は、熱源システム４６および／または調理装置システム８２に対して、ＷｉＦｉによる通信リンク（または、他のWPANによる通信リンク、赤外線による通信リンク、セルラー方式の通信リンク、あるいは、他のあらゆる無線通信リンク）を確立しようと試みることができる。このような例において、無線装置１４は、通信リンクを再び確立するために、その通信プロトコルの全て（または、一部）を繰り返ることができる（または、スキャンすることができる）。あるいは（または、加えて）、熱源システム４６および／または調理装置システム８２は、これらの通信プロトコルの全て（または、一部）を繰り返す（または、スキャンする）ことにより、切れた通信リンクを再び確立させることで、それぞれの通信リンクを再び確立することができる。
【０１５３】
また、無線装置１４は、熱源システム４６および／または調理装置システム８２と通信可能な中継装置に対して通信リンクを確立しようと試みることができる。例えば、無線装置１４が、熱源システム４６および／または調理装置システム８２に対して通信範囲外であったとしても、熱源システム４６および／または調理装置システム８２に対して通信範囲内（例えばブルートゥース（登録商標）の通信範囲などの）にある中継装置（例えば他の携帯電話または他のタブレットなど）の通信範囲内に、この無線装置１４を置くことができる。このような例において、無線装置１４が中継装置を利用することにより、通信範囲を拡張することができる。あるいは（または、加えて）、熱源システム４６および／または調理装置システム８２は、無線装置１４と通信可能な中継装置に対して、通信リンクを確立しようと試みることができる。
【０１５４】
図９Ａ〜図９Ｃはユーザーインターフェースシステムを有する例示的な熱源システムを表している。例として、図９Ａはユーザーインターフェースシステムを有する例示的な熱源システムの斜視図を表している。図９Ｂは、例示的な熱源システムのユーザーインターフェースシステムの、図９Ａの切断線９Ｂに沿って取られた断面図を表す。図９Ｃは、図９Ａに係る例示的な熱源システムのユーザーインターフェースシステムの各構成部品を表す。図示の例では、熱源システム４６（電磁誘導式のバーナーシステム等）には熱源５０（誘導コイル等）が含まれる。さらには、熱源システム４６は、熱源５０により食料品に提供されているエネルギー量の視覚表現を提供可能な光源システム２１２(例えば、光源システム２１２a〜２１２j)を有するユーザーインターフェースシステムを含むこともできる。加えて、ユーザーインターフェースシステム５６はまた、熱源５０により食料品に対して提供されるエネルギー量を、ユーザーが入力（または選択）することのできるタッチセンサを含むことができる。
【０１５５】
図９A〜図９Cに係る熱源システム４６には、熱源５０とユーザーインターフェースシステム５６が備えられている。熱源システム４６は、食料品（上記の通り）を調理するためにエネルギー量を提供することのできるあらゆる適切な構成部品を表している。さらに、熱源システム４６が無線装置１４と通信することによりユーザーの調理を補助することができ、および／または、熱源システム４６が調理装置システム８２と通信することによりユーザーの調理（上記の通り）を補助することができる。図示の例では、熱源システム４６は電磁誘導式のバーナーシステムである。
【０１５６】
熱源システム４６の熱源５０は、食料品（上記の通り）を調理するためにエネルギー量を提供することのできるあらゆる適切なデバイスとすることができる。例えば、熱源５０は、バーナー（例えば、誘導バーナー、ガスバーナー、赤外線バーナー、および／または、加熱コイル、等）、抵抗加熱要素、誘導コイル、抵抗ヒーター（ｉ２Ｒ）、赤外線放射体、加熱ランプ（ハロゲンランプ等）、オーブン、マイクロ波、ストーブトップ加熱器、レンジ、グリル、その他食料品を調理するためにエネルギー量を提供することのできるデバイス、これらのあらゆる組み合わせ、とすることができる。図示の例では、熱源５０は誘導バーナーである。この熱源システム４６は、あらゆる個数の熱源５０を具備することができる。
【０１５７】
ユーザーインターフェースシステム５６は、ユーザーが熱源システム４６に入力でき、および／または、熱源システム４６が、熱源システム４６のユーザーに対して出力（視覚的な出力、等）を提供することのできるあらゆる構成部品を表すものとする。図示の例では、ユーザーインターフェースシステム５６には、電源ボタン２０４、前進ボタン２０８、光源システム２１２（例えば、光源システム２１２ａ〜２１２ｊなど）、およびタッチセンサ２２４が備えられている。
【０１５８】
電源ボタン２０４は、ユーザーにより起動（あるいは選択）することにより、熱源システム４６に電力を提供することのできるあらゆる構成部品とすることができる。例えば、電源ボタン２０４を起動することにより熱源システム４６を起動させ、操作を開始することができる。操作時、熱源システム４６は、他のデバイス（無線装置１４、等）から信号を受信するか、および／または、ユーザーからの入力（タッチセンサ２２４上の入力、等）を受信することができる。電源ボタン２０４を用いて熱源システム４６が起動されたとき、熱源５０がエネルギー提供を自動的に開始する必要はない。代わりに、熱源５０は、熱源システム４６が、他のデバイスからの入力（無線装置１４からの調理指示７０など）を受信するか、または、ユーザーからの入力（タッチセンサ２２４上の入力など）を受信するまで、オフに保つ（エネルギーは提供されない）ことができる。
【０１５９】
前進ボタン２０８は、ユーザーにより起動（あるいは選択）されることにより、電子調理本３０を、調理レシピの次のステップ（または段階）に前進させることのできる、あらゆる構成部品とすることができる。例えば、前進ボタン２０８を、ユーザーにより起動させることのできる、作動可能なボタンまたはスイッチとすることができる。前進ボタンを起動させることにより、熱源システム４６が無線装置１４に信号を送信することで、電子調理本３０を次のステップに進行させることができる。加えて、前進ボタン２０８により、ユーザーが電子調理本３０に他のあらゆる操作を指示することが可能となり、このような操作としては「前のステップに戻る」、「最初に戻る」、「現在のステップを繰り返す」、「ステップの指示を一時停止する」、「ビデオ表示をオフにする」、「音声をオフにする」、「加熱システムをオフにする」、「表示装置を切替える」、「熱源システムの他の熱源ユニットに切替える」、「他のレシピ用の指示に切替える」、「更新されたステップを提供する」、「補助ボタンをオフにする」、「補助ボタンの感度を変更する」、または「装置のペアリングをリフレッシュする」が含まれる。
【０１６０】
上述されるように、ユーザーインターフェースシステム５６には光源システム２１２が含まれる。光源システム２１２は、熱源システム４６のユーザーが視認するために発光（あるいは光を提供）することのできるあらゆるデバイスまたは構成部品とすることができる。例えば、光源システム２１２が発光することで、熱源システム４６の熱源５０により提供されているエネルギー量の視覚表現の一部または全部を提供することができる。
【０１６１】
ユーザーインターフェースシステム５６は任意個数の光源システム２１２を含むことができる。図示の例では、ユーザーインターフェースシステム５６には１０個の光源システム２１２（例えば、光源システム２１２ａ〜２１２ｊ）が含まれる。光源システム２１２はそれぞれ、熱源システム５０から与えられているエネルギー量を示すもの（表現あるいはこれに対応する）とすることができる。例えば、光源システム２１２はそれぞれ、熱源５０が提供することのできる最大出力（または最大エネルギー量）に対する割合（１０％など）を示すものとすることができる。このような例では、熱源５０が提供可能な最大出力の５０％が提供されている場合、１０個の光源システム２１２のうち５個の光源システム（光源システム２１２ａ〜２１２ｅ、等）２１２を発光（他の光源システムは発光させず）させることができる。
【０１６２】
熱源５０が提供可能な最大出力の９５％が提供されている場合、１０個の光源システム２１２のうち９個の光源システム（光源システム２１２ａ〜２１２ｉ、等）２１２を発光させ、第１０番目の光源システム２１２（光源システム２１２ｊ、等）は、最大出力の残りの５％（（最大出力の９５％の全視覚表現に対応）を視覚的に表現するために、光量を部分的に発光させる（および／または、オンオフを点滅させるか、および／または、異なる色の光を発光させる）ことができる。例えば、発光している光源システム２１２の個数（および発光の仕方）は、熱源５０により提供されているエネルギー量と対応させることができる。
【０１６３】
熱源５０により提供可能な最大出力の割合（１０％等）を示すもの（表現あるいはこれに対応するもの）として光源システム２１２を説明してきたが、光源システムは熱源５０から提供可能なエネルギー量に係る他のあらゆる測定量または割合の表示とすることができる。例えば、光源システム２１２は、熱源５０から提供可能な温度を示すもの（例えば、各光源システム２１２が、華氏５０度などと示すもの）とすることができ、また、光源システム２１２は、熱源５０から提供可能な他の電力量の割合を示すもの（例えば、最大出力とは異なる電力レベル）とすることがでる。
【０１６４】
光源システム２１２はあらゆる方法で互いが配置することができる。例えば、図９Aに図示されている通り、光源システム２１２を水平状に配列して配置させることができる。また別の実施例では、光源システム２１２は垂直状に配列して配置させることができる。このような配列により、光源システム２１２は、ユーザーが視認しやすくてわかりやすい視覚表現を提供することができる。
【０１６５】
図示の例では、光源システム２１２には光源２１６と光導体２２０が含まれる。光源２１６は光を生成、提供、あるいは発光することのできるあらゆるデバイスまたは構成部品を表している。例えば、図９Bに図示の例では、光源２１６は発光ダイオードである。光源２１６はあらゆるタイプの光、色彩、および／または、あらゆる光量（例えば、あらゆる放射エネルギー量（パワー）、放射フラックス、および／または、その他すべての光量測定量）を生成することができる。光源２１６はまたあらゆる周波数で点滅させることができる。
【０１６６】
光源システム２１２は任意数個の光源２１６を含むことができる。さらには、単一の光源システム２１２の光源２１６は、同一の光源でも異なる光源でも構わない。例えば、光源システム２１２は、緑色を発光する第１光源２１６と、赤色を発光する第２光源２１６と、黄色を発光する第３光源２１６を含むことができる。
【０１６７】
光源２１６は光源システム２１２のあらゆる場所に配置可能であって、および／または、光源システム２１２の他の構成部品に対してあらゆる場所に配置させることができる。例えば、図９Bに図示されている通り、光源２１６を光導体２２０の底部（または光導体２２０より下側）に配置させることができる。別の実施例としては、光源２１６を光導体２２０の頂部（または光導体２２０より上側）、または２つの連続する光導体２２０の間に配置させることができる（例えば、光源２１６より上側にある光導体２２０および光源２１６の下側にある別の光導体２２０）。
【０１６８】
光導体２２０は、照明の目的のために光を伝播および／または分配することのできるあらゆるデバイスまたは構成部品を表している。実施例によっては、光導体を、一端が光源に光学的に結合している透明食材からなる伸長ブロックとすることが可能で、直接透過と光導体の内壁での全反射（total internal reflection ：ＴＩＲ）を組み合わせることで、光がパイプを他端側に向かって伝搬する。連結した光源（光源２１６、等）からの発光は光導体の側面から視認すること可能であって、この光導体の側面が織り目加工、カット面、曇り面を有することにより、表面に当てられる光の一部がＴＩＲの臨界角度を超え、これにより光がこの側面から「漏れ」、光はパイプから逃れ出ることにより、観察者の方向に伝播することができる。この漏れは好ましくは緩やかなものであって、発光すると光導体の全長が視認できるように拡散する。光導体の中心を伝播する光は、端部が鏡面仕上げされていない場合は漏れる必要はなく、この端部は好ましくは壁面への法線ベクトルに対して斜角に鏡面仕上げされている。
【０１６９】
図示の例では、導体２２０は、光源２１６により生成された光を光導体２２０の全長（または部分長）に沿って分配することのできる、中実の透明チューブとすることができる。図９Bに発光光波２２２として図示されている通り、このような分配により、光導体２２０の全長（または部分長）に沿ってユーザーが光を視認できるようになる。一実施例において、光導体２２０が光を受け入れるとき、図９Aに縦バーとして各々が図示されている通り、この光を縦バーとして分配および可視化させることができる。
【０１７０】
光導体２２０は任意の寸法を有することができる。例えば光導体２２０は、０．１インチ〜２．０インチまでの長さを有し、０．００１インチ〜０．５インチまでの幅を有することができる。光導体２２０はまた任意の形状を有することができる。例えば光導体２２０は、線状、バー状、円状、四角、その他の形状、またはこれらの任意の組み合わせを有することができる。また別の実施例では、図９Ｂに図示される通り、光導体２２０は湾曲していてもよい。湾曲していることにより、光源２１６からくるほとんどの光を、ＴＩＲによりバイプを伝播させることができる。光導体２２０の曲率は、熱源システム４６の外表面形状（或いは他の形状）に対応させるか、強調するか、フィットさせるか、および／または、適合させるように、構成することができる。図９Ｂに図示されている通り、光導体２２０の曲率は熱源システム４６の湾曲した外表面形状に適合したものとなっている。さらに、図９Ａに認められる通り、光導体２２０の湾曲バー形状は、縦バーとして視認できるように光を分配する。このようなものとして、１０個の光源システム２１２の全てが発光している場合、ユーザーは、水平状の配列に配置された１０個の縦バーを含む垂直な表示を認めることができる。
【０１７１】
実施例によっては、光導体２２０を（湾曲に対して）直線状にすることができる。このような実施例では、光源２１６から光導体２２０に入射する光が大きな発散角を有することにより、および／または、光源２１６により生成された光の中心を光導体２２０の壁に向けることにより、ＴＩＲにより伝播される光の割合を増やすことができる。
【０１７２】
光導体２２０はさらに、あらゆる方向に向けることができる。例えば、光導体２２０は、垂直方向、水平方向、対角方向、その他任意の方向、またはこれらの組み合わせ、に向けることができる。さらに光導体２２０は、あらゆる寸法部分および／または形状部分に、発光された光を分配（または運搬）することができる。
【０１７３】
光導体２２０はまた照明目的のために光を運搬または分配することのできるあらゆる材料から作成（または構成）することができる。光導体２２０は、光の漏れを促進させるような織り目加工面または曇り面を有することができる。
【０１７４】
実施例によっては、光源２１６が異なる輝度または放射輝度を有する隣接した光導体２２０を、ユーザーまたは観察者に区別させることにより、光源２１６の一方が他方とくらべて低エネルギーの出力を有していることを着目させることができることが望ましい。このような実施例では、各々の光導体２２０が、隣接する光導体２２０から、例えば、少なくとも光導体２２０の幅の分だけ離れているとき、より好ましくは少なくとも光導体２２０の幅の３倍だけ離れているときに、このような区別に最もよく気が付くことができる。さらに、隣接する光導体２２０の間に暗い背景を提供することにより、実施例によっては、ユーザーによる隣接する光源２１６のパワーレベルの区別を、補助することができる。加えて、光導体２２０のアスペクト比が約５対１、好ましくは１０対１であることにより、ユーザーの視認性による区別をさらに好ましいものにすることができる。
【０１７５】
加えて、光導体２２０を光導体幅の３〜５倍だけ距離を置いて互いに離すことができる。これにより、実施例によっては、パワーレベルを光導体の個別の位置に比例するパワー表示の中間値にパワーレベルを調整するためのより良い手段を、ユーザーに提供することができる。このような間隔は、例えば、光源システム２１２がタッチセンサ２２４の上に重なるような場合（例えば、図９Ｂに図示され且つ以下詳細に説明されるが、タッチセンサ２２４が構造的に光源システム２１２の下に設けられている場合など）に提供可能である。
【０１７６】
上述されるように、ユーザーインターフェースシステム５６にはさらにタッチセンサ２２４が含まれている。タッチセンサ２２４は、ユーザーが熱源システム４６に入力を提供することのできる、あらゆるデバイスおよび／または構成部品を表現したものとすることができる。例えば、タッチセンサ２２４は、静電容量式タッチセンサ、抵抗性タッチセンサ、その他のタッチセンサ、ユーザーが熱源システム４６に入力を提供することのできる他のあらゆるデバイスおよび／または構成部品、またはこれらの組み合わせとすることができる。図面中、タッチセンサ２２４は、導電性あるいは空気と異なる誘電性を有する物体（ユーザーの指、および／または、容量性のペン）を検知可能な静電容量式タッチセンサである。
【０１７７】
タッチセンサ２２４は、相互容量方式のタッチセンサ（例えば、スキャンされるか連続的に走査される行列状の電極間の相互結合を物体が変化させる）でも、自己容量方式のタッチセンサ（例えば、物体がセンサに負荷をかけるか、またはグラウンドとの寄生容量を増加させる）でも構わない。ユーザーが（指その他の物体で）容量式タッチセンサ２２４に触れると、タッチセンサに結合しているプロセッサまたは制御部（上述のプロセッサ５８、またはタッチセンサ２２４およびプロセッサ５８と通信可能な別のプロセッサあるいは制御部）が、例えばタッチセンサの４隅から測定される電気容量の変化から、タッチ位置を間接的に測定することができる。このような例では、電気容量の変化が大きければ大きいほど、タッチがこのタッチセンサ２２４の隅に近いことになる。加えて、タッチ検出の他に、タッチセンサ２２４は略タッチ（例えば、ユーザーが指をタッチセンサの上をホバリングしているものの、タッチセンサ２２４には接触せず、または、タッチセンサ２２４に直接的または間接的に接触しているその他の構成部品にも接触していない状態）を検出することができる。このような場合、タッチセンサは略タッチの位置を測定することができる。
【０１７８】
タッチセンサ２２４により、ユーザーが熱源システム４６に入力を提供することができる。例えば、タッチセンサ２２４により、ユーザーは、熱源システム４６の熱源５０により提供されるエネルギー量を入力（あるいは選択）することができる。ユーザーはタッチセンサ２２４を熱源システム４６への入力を提供するあらゆる方法で利用可能である。例えば、ユーザーは特定の位置にあるタッチセンサ２２４にタッチすることができ、ユーザーはタッチセンサ２２４の表面に沿って指をスワイプすることができ、ユーザーはタッチセンサ２２に記号を描くことができ、ユーザーはタッチセンサ２２４を熱源システム４６への入力を提供するあらゆる方法で使用することができ、またはこれらを組み合わせることができる。
【０１７９】
ユーザーが熱源システム４６の熱源５０により提供されるエネルギー量を入力できるように（あるいは熱源システム４６にその他の入力を提供する）するために、タッチセンサ２２４は、タッチセンサ２２４の位置をエネルギー量に関連付けることができる。例えば、タッチセンサ２２４の長さ（またはその他の寸法）を各セクションに分解することが可能であって、各セクションは、ユーザーにより選択可能なエネルギー量（例えば、最大出力の割合、実際の温度、等）を表現して（またはこれに関連付け等がされて）いる。ユーザーが熱源５０の最大出力に対する割合を入力できる実施例では、タッチセンサ２２４の長さは各セクションに分割（例えば等分割）され、これらセクションは、最大出力に対する０％〜１００％までの出力割合をそれぞれ表したものとなっている。したがって、例えば、ユーザーが０％を表すタッチセンサ２２４のセクション（図９Ａにおけるタッチセンサ２２４の左端の曲線端部）をタッチすると、タッチセンサ２２４（およびこのプロセッサ）がタッチを最大出力の０％の出力に対するリクエストに関連付け、熱源５０が最大出力の０％の出力を提供するように調節することができる。加えて、ユーザーが５０％を表すタッチセンサ２２４のセクションにタッチすると、タッチセンサ２２４(およびこのプロセッサ)がこのタッチを最大出力の５０％の出力に関連付け、熱源５０が最大出力の５０％の出力を提供するように調節することができる。
【０１８０】
タッチセンサ２２４のセクションは、光源システム２１２に基づいて分割することができる。例えば、図９Aに図示されている通り、ユーザーインターフェースシステム５６は、１０個の光源システム２１２を備えることができて、各々に例えば熱源５０の最大出力の１０％の出力を表現させることができる。このような実施例では、タッチセンサ２２４のセクションを分割することで、最大出力の１０％の出力を表現しているセクションを第１の光源システム２１２（光源システム２１２ａ、等）の位置（あるいは隣接位置）に設け、最大出力の５０％の出力を表現しているセクションを第５の光源システム２１２（光源システム２１２ｅ、等）の位置（あるいは隣接位置）に設け、最大出力の１００％の出力を表現しているセクションを第１０の光源システム２１２（光源システム２１２ｊ、等）の位置（あるいは隣接位置）に設けること、等ができる。したがって、例えば、ユーザーが第５の光源システム２１２（光源システム２１２ｅ、等）の位置（または隣接位置）でタッチセンサ２２４にタッチすると、タッチセンサ２２４（およびこのプロセッサ、例えばプロセッサ５８または別のプロセッサ）がタッチを最大出力の５０％の出力に対応するリクエストに関付けし、熱源５０が最大出力の５０％の出力を提供するように調節することができる。また、ユーザーが第７の光源システム２１２と第８の光源システムの間（例えば、光源システム２１２eと光源システム２１２ｈの間）の領域（またはこれに隣接する位置）で、タッチセンサ２２４にタッチすると、タッチセンサ２２４(およびこのプロセッサ)がタッチを最大出力の７５％の出力に対応するリクエストに関付けし、熱源５０が最大出力の７５％の出力を提供するように調節することができる。
【０１８１】
タッチセンサ２２４はあらゆる寸法、形状、および／または向きを有することができる。例えば、図示されるように、タッチセンサ２２４は水平バーとして形成することができる。また別の実施例として、タッチセンサ２２４は、円形状、正方形、矩形状、他の任意の形状、またはそれらの任意の組み合わせとして形成することができる。別の実施例として、図９Bに示すように、タッチセンサ２２４はさらに湾曲していてもよい。このような実施例（および図９Bに図示の実施例）では、湾曲タッチセンサ２２４に可撓性のプリント回路基板を備えることが可能で、これによりタッチセンサ２２４を湾曲させることができる。タッチセンサ２２４の曲率は、熱源システム４６の外表面形状（または他の形状）に対応させるか、強調するか、フィットさせるか、および／または、適合させるように、構成することができる。図９Bに図示の実施例では、タッチセンサ２２４の曲率が、熱源システム４６の湾曲した外表面形状に適合している。
【０１８２】
タッチセンサ２２４は、光源システム２１２に対して、あらゆる位置に配置させることができる。例えば、図９Bに図示の例では、タッチセンサ２２４は、光源システム２１２の下に構造的に設けることができる。このような実施例では、光源システム２１２が、タッチセンサ２２４の全体（または一部分）を覆うことができる。タッチセンサ２２４の全体が覆われると、ユーザーがタッチセンサ２２４そのものに物理的に接触できない可能性がある。代わりに、ユーザーが光源システム２１２（またはタッチセンサ２２４を覆う他の部分）にタッチして、タッチセンサ２２４は、ユーザーが光源システム２１２（またはタッチセンサ２２４を覆う他の部分）にタッチしたとき（およびタッチした場所）を検出することができる。さらには、タッチセンサ２２４の一部（一以上の接地板および／または電極、等）のみを構造的に光源システム２１２の下に設け、残りのタッチセンサ２２４を、構造的に光源システム２１２の上に設けることができる。
【０１８３】
別の実施例として、タッチセンサ２２４を光源システム２１２の上に構造的に設けることができる。このような実施例では、タッチセンサ２２４を透明にすることができ（例えば、タッチセンサ２２４に、透明の導電コーティングである電極／接地板を設けることができる）、これによりタッチセンサ２２４の下に構造的に設けられていたとしても、光源システム２１２をユーザーに視認させることができる。場合によっては、タッチセンサ２２４に、内部に切り込まれた穴部（または開口部）を設けることが可能であって（電極に切り込まれた孔、等）、これにより光源システム２１２を孔から視認させることができる。さらには、タッチセンサ２２４の一部（一以上の接地板および／または電極、等）のみを構造的に光源システム２１２の上に設け、残りのタッチセンサ２２４を、構造的に光源システム２１２の下に設けることができる。
【０１８４】
さらなる実施例では、光源システム２１２を、タッチセンサ２２４の内部に切り込まれた一以上の孔（または開口部）に配置させること（電極に切り込まれた孔、等）が可能である。これにより光源システム２１２がタッチセンサ２２４の孔から突出可能となり、これにより視覚障害を持つユーザー等のユーザーが触る（感知する）ことのできる突起部（あるいはその他突出部）が形成可能となる。加えて、光源システム２１２には、光導体２２０の外面に設けられた記号（点字等）をさらに含むことが可能で、これによりユーザーが各光源システム２１２を認識することを補助することができる。さらに、発光している時、光源システム２１２を振動させるか、および／または、音声を発することで、ユーザー（視覚障害者ユーザーなど）が、熱源５０により提供されているエネルギー量を把握することをさらに補助することができる。
【０１８５】
別の実施例では、光源システム２１２（または光源システム２１２の光源２１６）は、タッチセンサ２２４の一以上の電極（一以上の感知電極等）と、同じプリント回路基板（図９Ｂ〜図９Ｃのプリント回路基板２２８など）に配置させることができる。このような実施例では、光導体２２０が光源２１６からユーザーインターフェースシステム５６上の位置に光を運搬し、ここでユーザーに光を視認させることができる。
【０１８６】
図９Aに図示されている通り、光源システム２１２とタッチセンサ２２４は（図９Aにおいて１０個の光源システム２１２を含んで視認されている湾曲バー状のタッチセンサ２２４から認められる通り）、これらが同じインターフェースに見えるように、ユーザーインターフェースシステム５６の内に配置させることができる。場合によっては、光源システム２１２とタッチセンサ２２４が別々のインターフェースとして視認されるようにして、光源システム２１２とタッチセンサ２２４を配置させることができる。例えば、光源システム２１２はユーザーインターフェースシステム５６上にて、タッチセンサ２２４の左側の位置、タッチセンサ２２４の右側の位置、タッチセンサ２２４の真上の位置、タッチセンサ２２４の真下の位置、他の位置、またはこれらの組み合わせの位置に配置させることができる。この配置により、光源システム２１２とタッチセンサ２２４を共に位置させるか(上記の通り、これらが同じインターフェースに見えるように配置させる等)、または互いに近接して配置させるか(互いに隣り合う異なるインターフェースに見えるように配置させる等)、または互いに距離を置いて配置させる（互いに数インチ空けて配置させる等)ことができる。
【０１８７】
図９Ａ〜図９Ｃに係る操作例の１つとして、ユーザーは、ステーキまたはチリ・コン・カルネなどの食料品を調理しようと所望する場合が考えられる。上記の通り、このような食料品が調理されるために、調理指示７０を熱源システム４６（電磁誘導式のバーナーシステム等）に送信させることができる。調理指示７０には、特定の温度（３７５°Ｆ、等）および特定の時間間隔（１０分等）が含まれる場合がある。調理指示７０（華氏３７５度の温度表示および１０分間の表示が含まれる場合がある）の受信に基づいて、熱源システム４６は熱源５０を起動させることが可能であって、これにより調理装置システム８２の調理装置８６にエネルギーを提供させることができる。例えば、熱源システム４６が（例えば、プロセッサ５８等を介して）熱源５０から提供されているエネルギー量を増加（あるいはエネルギー量を調節）させることにより、熱源５０を、食料品を調理する華氏３７５度の温度まで加熱させることができる。
【０１８８】
熱源５０を、食料品を調理する華氏３７５度の温度まで加熱させるために、熱源システム４６は、最初に熱源５０に最大出力の１００％の出力でエネルギーを提供させることができる。熱源５０が所望とされる華氏３７５度の温度に近づくと、熱源システム４６は熱源５０により提供されているエネルギー量を、例えば最大出力の７５％の出力まで減少させることができる。熱源５０が所望とされる華氏３７５度の温度まで加熱されると、熱源システム４６は熱源５０から提供されているエネルギー量を、例えば最大出力の１０％の出力まで減少まで減少させることが可能で、これにより熱源５０が所望とされる華氏３７５度の温度に保持できるようになっている。
【０１８９】
熱源５０により提供されているエネルギー量の増加（あるいはエネルギー量の調節）に加えて、熱源システム４６はユーザーインターフェースシステム５６に、熱源５０により提供されているエネルギー量の表示を送信させることができる。例えば、熱源システム４６は（例えば、プロセッサ５８を介して）、熱源５０により提供されている出力が最大出力の１００％の出力である表示を、ユーザーインターフェースシステム５６に送信させることができる。この表示は、ユーザーインターフェースシステム５６（プリント回路基板２２８に配置され、光源２１６等を制御する制御部）が熱源５０により提供されているエネルギー量を判断することができるデータ（その他の情報）とすることができる。例えば、表示はエネルギー量そのもの（例えば、１００％など）、またはユーザーインターフェースシステム５６がエネルギー量の判断に使用することのできる信号もしくはポインタ（または他のタイプのデータ）、またはユーザーインターフェースシステム５６のプロセッサ(または制御部)が一以上の光源２１６をオン（またはオフ）させるための信号とすることができる。場合によっては、熱源システム４６のプロセッサ５８が、（例えば）光源システム２１２の光源２１６を制御しているとき、この表示は光源２１６をオン（またはオフ）にさせる信号とすることができ、この信号は電力を特定の光源２１６に与えることによりこれらをオンさせるための信号などである。
【０１９０】
熱源５０により与えられているエネルギー量の表示（例えば、熱源５０により提供される最大出力の１００％の出力である表示、等）に基づいて、光源システム１１２が発光可能となり、これにより熱源５０により提供されているエネルギー量の視覚表現が形成される。例えば、当該表示が源５０により提供される最大出力の１００％の出力である表示である場合、１０個の光源の光源システム１１２がすべて発光し（光源２１６により光が生成され、光導体２２０により光が運搬、および／または、分配される）、これにより熱源が最大出力の１００％の出力でエネルギーを提供していることをユーザーに視覚的に提示させることができる。
【０１９１】
このような視覚表現は、熱源が最大出力の１００％の出力でエネルギーを提供していることをユーザーに提示させるための、あらゆる視覚形式を有することができる。例えば、図９Aに図示の実施例によれば、視覚表現は、水平状の配列に配置された１０個の発光した縦バーを有することができる。このような水平状の配列により、個々の縦バーからなる水平状のバーグラフを作成することができる。この水平配列は、ユーザーに分かりやすくかつ視認しやすいものとすることができる。
【０１９２】
縦バーの全部（各々が光源システム２１２により視覚的に形成される）を同色にすることができる。例えば、縦バーの全部をすべて白色にすることができる。場合によっては、一以上の縦バーを異なる色にすることができる。例えば、最初の４つの縦バー（光源システム２１２ａ〜２１２ｄとして図示）を、低出力を表す第１色（白色、等）とし、次の３つの縦バー（光源システム２１２ｅ〜２１２ｇとして図示）を、中出力を表す第２色（黄色、等）とし、最後の３つの縦バー（光源システム２１２ｈ〜２１２ｊとして図示）を、高出力を表す第３色（赤色、等）とすることができる。
【０１９３】
熱源５０が最大出力の１００％の出力でエネルギーを提供するまで温まるのに時間がかかる場合には、ユーザーに予熱時間を視覚的に提示することができる。例えば、熱源５０が最大出力の１００％の出力でエネルギーが提供されるまで加熱されると、すべての光源システム２１２が発光するまで、発光している光源システム２１２の数を増加させてゆくことができる。別の実施例では、熱源５０が最大出力の１００％の出力でエネルギーが提供するようになるまで加熱されると、すべての光源システム２１２が発光するが、予熱が完了するまでの間、これらすべてに、予熱段階を示す特定の色（黄色等）を発光させることができる。その後、光源システム２１２をもとの発光色（白色など）に戻すことができる。さらなる実施例として、熱源５０が最大出力の１００％の出力でエネルギーが提供されるようになるまで加熱されると、すべての光源システム２１２が発光するが、予熱が完了するまでの間、これらすべてをオンとオフに点滅させることができる。その後、光源システム２１２を（点滅ではなく）すべてオンの状態に戻すことができる。光源システム２１２により提供される予熱視覚表現は、熱源５０により提供されているエネルギー量の単一表示に基づいたものとすることができ、また、視覚表現の個々の変化（または一以上の変化）は、熱源５０により提供されているエネルギー量の別の（個別の）表示に基づくものとすることができる（例えば、一方を予熱表示、他方を予熱が完了する時を示す表示とする）。
【０１９４】
上述されるように、華氏３７５度の温度で食料を調理する熱源５０に係る実施例に関して、熱源システム４６は、最初に熱源５０に最大出力の１００％の出力でエネルギーを提供させることができる。しかし、熱源５０が所望とされる華氏３７５度の温度に近づくと、熱源システム４６は、熱源５０により提供されるエネルギー量を、最大出力の７５％等の出力まで減少させることができる。熱源５０により提供されるエネルギー量の減少に加えて、熱源システム４６はユーザーインターフェースシステム５６に熱源５０により提供されるエネルギー量の表示を送信することができる。例えば、熱源システム４６は、熱源５０により提供される最大出力の７５％の出力という表示を、ユーザーインターフェースシステム５６に送信することができる。
【０１９５】
熱源５０により提供されるエネルギー量の表示（例えば、熱源５０により提供される最大出力の７５％の出力の表示）に基づいて、光源システム１１２は発光可能となり、これにより熱源５０により提供されるエネルギー量の視覚表現が作成される。図９Aに図示の実施例では、光源システム２１２によるこの種の発光により、発光している１０個の縦バー（最大出力の１００％の出力を表現している）から、発光している７個の縦バーに加えて最大出力の残りの５％の出力を表すように発光している８番目の縦バーを含む視覚表現（全部で最大出力の７５％の出力）に変化する視覚表現を作成することができる。
【０１９６】
最大出力のこの残りの５％の出力はあらゆる方法で視覚表現させることができる。例えば、８番目の光源システム２１２は、（他の７つの光源システム２１２の各々と比較して）光を部分的に発することができる。このような実施例では、８番目の光源システム２１２を、他の７つの光源システム２１２の各々の出力の５０％の出力で発光させることができる。このようなものとして、８番目の光源システム２１２により形成される縦バーを他の縦バーより暗くさせることができる。８番目の光源システム２１２により発光される出力量を各区分に分割し、この各区分に１％（その他の割合）を表示させることができる。
【０１９７】
また別の実施例では、最大出力のこの残りの５％の出力を、他の７つの光源システムとは異なる特定の色で発光する８番目の光源システム２１２を用いて視覚表現することができる。この場合、例えば、８番目の光源システム２１２を黄色で発光させ、他の７つの光源システムをそれぞれ赤色で発光させることができる。例えば、８番目の光源システム２１２により形成される縦バーを黄色とし、残りの縦バーを赤色にすることができる。さらには、８番目の光源システム２１２により発光される色合いを各区分に分割し、この各区分に１％（その他の割合）を表示させることができる。この場合、８番目の光源システムは、１％を表現するために標準黄色の１０分の１の暗清色で表し、５％を表現するために標準黄色の１０分の５の暗清色で表し、９％を表現するために標準黄色の１０分の９の暗清色、等で表すことができる。
【０１９８】
別の実施例では、最大出力の残りの５％の出力を、オンとオフで点滅する８番目の光源システム２１２を用いて視覚的に表示させることができる。このような実施例では、例えば、８番目の光源システム２１２をオンとオフで点滅させ、他の７つの光源システム２１２をすべて点滅させずに維持することができる。例えば、８番目の光源システム２１２により形成された縦バーを点滅させ、残りの縦バーを点滅させずに維持することができる。さらに、８番目の光源システム２１２が点滅する速さを各区分に分割し、この各区分に１％（その他の割合）を表示させることができる。このような実施例では、８番目の光源システム２１２を、１%を表す低速度で点滅させ、５%を表す中速度で点滅させ、また９%を表す高速度、等で点滅させることができる（各々の割合が８番目の光源システム２１２を高速度で（別の実施例では低速度で）点滅させる）。
【０１９９】
熱源システム４６の構成部品およびユーザーインターフェースシステム５６（上記の通り）により実行される動作は、チリ・コン・カルネの調理（上記の通り）等の、調査レシピの各ステップに対して継続させることができる。これにより、縦バーの視覚表現を、熱源５０により提供されるエネルギー量の変動に従って、ユーザーに表示されている０個の縦バーと全１０個の縦バーの間で、変動させることができる。これに加えて、各構成部品により実行される動作には、さらに（上述の）測定センサ９０からの情報を受け取ることが含まれ（あるいは考慮され）、（上述の）測定情報７４に基づいて、熱源５０により提供されるエネルギー量をさらに調整することを含むことができる。
【０２００】
この視覚表現は調理プロセスの視覚的なフィードバックを提供することができる。例えば、ユーザーは調理プロセスが継続中であることを視覚的に確認することができる（例えば、熱源システム５０が調理レシピ等に従って加熱中であることを視覚的に確認することができる）。
【０２０１】
加えて、この視覚表現により、一以上の通信リンク（上記の通り）が正常に作動していることをユーザーが視覚的に確認することができる。例えば、この視覚表現により、熱源５０が調理レシピに従って加熱していることをユーザーに示すことができる。このような実施例では、ユーザーは、無線装置１４が第１の通信リンク（上述されるように）を使用して熱源システム４６に調理指示７０を正しく送信していることを確認することができる。
【０２０２】
この視覚表現により、ユーザーは、調理ステップ（または調理段階）が完了あるいはほぼ完了したときを視覚的に確認することができる（例えば、ステップがほぼ完了したという事前警告を提供することができる）。例えば、調理レシピの特定のステップが、１カップのトマトソースを食料品（チリ・コン・カルネ）に追加し、このチリ・コン・カルネを沸騰させるまで加熱することをユーザーに指示することができる。このような実施例では、熱源システム４６に、１カップのトマトソースが食料品に添加されたことを（測定センサ９０等を用いて）自動的に判断させることができる。この種の自動判断に基づいて、熱源システム４６が熱源５０により提供されるエネルギー量をさらに自動的に増加させてチリ・コン・カルネを沸騰させることができる。ユーザーインターフェースシステム５６が、熱源５０により提供されているエネルギー上昇の視覚表現を提供すると、ユーザーが１カップのトマトソースを正しく添加し、熱源システム４６によりステップが完了した（例えば、沸騰するまで加熱された）ということを、ユーザーが確認（または判断）することができる。
【０２０３】
この視覚表現により、ユーザーは、調理が完了したとき（例えば、縦バーが表示されなくなる）、調理が制御地点に達したとき、および／または、調理後に食品が温かいまま維持されているとき（１個のみの縦バーが表示されている）を、視覚的に確認することができる。
【０２０４】
調理レシピの全ステップが完了すると（例えば、ユーザーが電子調理本３０に、全ステップが完了した旨を示したとき）、無線装置１４は、熱源システム４６に最終の調理指示７０を送信することができる。最終指示７０として、熱源システム４６が調理装置８６により提供されている全エネルギーを停止させるという指示を含むことができる。これに基づいて、熱源システム４６は熱源５０を自動的に停止させる（熱源５０にエネルギーを提供させないようにする）ことができる。さらに熱源システム４６は、このエネルギー量の表示（例えば、エネルギーなし）を、ユーザーインターフェースシステム５６に追加で送信させることができる。これに基づいて、光源システム１１２が発光を停止することが可能であって、図９Ａに図示の実施例では、０個の縦バーをユーザーに表示させることができる。
【０２０５】
上述のステップに加えて、実施例によっては、ユーザーが熱源５０により提供されるエネルギー量を手動で調製しようと所望する場合がある。例えば、ユーザーは、調理レシピに推奨され、また調理指示７０に提供されている調理温度を調節または変更しようと所望することができる。このような実施例では、レシピが肉を華氏３７５度で焦げ目を付けるように推奨可能なのに対して、ユーザーは肉を華氏４２５度等で焦げ目を付けるように所望することができる。別の実施例では、ユーザーは、電子調理本３０が熱源システム４６に調理指示７０を提供することなく食料品を調理することができる（例えば、ユーザーは書籍あるいは記憶にある調理レシピを用いて調理することができる）。この場合、調理の全部（または一部）を、熱源５０の手動調整を用いて遂行する必要がある場合が考えられる。
【０２０６】
このような手動調節を提供するために、ユーザーは、ユーザーが熱源５０に提供させようと所望するエネルギー量に関連したタッチセンサ２２４上の場所で、タッチセンサ２２４にタッチすることができる。例えば、上述されるように、タッチセンサ２２４は、タッチセンサ２２４の位置をエネルギー量に関連付けることができる。したがって、例えば、ユーザーが第５番目の光源システム２１２（例えば、光源システム２１２ｅなど）の位置（またはその隣接部分）でタッチセンサ２２４にタッチすると、タッチセンサ２２４（またはそのプロセッサ）は、このタッチを最大出力の５０％の出力に関連付けることができる。また、ユーザーが、第７番目の光源システム２１２（例えば、光源システム２１２ｇなど）と第８番目の光源システム２１２（例えば、光源システム２１２h）の間にある領域（またはその隣接領域）でタッチセンサ２２４をタッチした場合、タッチセンサ２２４（またはそのプロセッサ）は、このタッチを、最大出力の７５％の出力に対するリクエストに関連付けることができる。
【０２０７】
ユーザーは熱源システム４６への入力を提供するあらゆる方法を用いてタッチセンサ２２４を使用することができる。例えば、ユーザーはタッチセンサ２２４に、特定の光源システムの位置（または隣接位置）などの、特定の位置で（例えば、最大出力の３０％の出力とする意向を示す第３の光源システム２１２ｃなどの位置を）タッチすることができる。別の実施例では、ユーザーは特定の位置でタッチセンサ２２４をダブルタッチ（ダブルクリック）することができる。このようなダブルクリックにより、ユーザーが望んでいる、熱源５０により提供されるエネルギー量の変化を示す一方で、タッチセンサ２２４に誤って（偶発的に）タッチすることにより生じる、予期できないエネルギー量の変化を防止することができる。
【０２０８】
別の実施例では、タッチセンサ２２４の表面に沿ってユーザーは、指をスワイプすることができる。この場合、熱源システム４６により受信された（および作用する）入力は、ユーザーがスワイプ動作を停止したタッチセンサ２２４上の位置に基づくことができる。例えば、スワイプが第３番目の光源システム２１２から開始して６番目の光源システム２１２で終了すると、熱源システム４６はタッチを第６番目の光源システム２１２の位置における最後のタッチに関連付けられた出力に対応するリクエスト（例えば、最大出力の６０％の出力など）として判断することができる。
【０２０９】
さらなる実施例として、ユーザーはタッチセンサ２２４に記号を描くことができる。例えば、ユーザーは低出力として「L」を描き、中出力として「M」を描き、高出力として「H」を描くことが可能で、また他の記号、あるいはこれらの組み合わせを描くことができる。さらには、ユーザーは、ユーザーが食料品を調理しようと所望する温度を描くことができる。例えば、ユーザーが食料品を華氏３７５度で調理しようと所望する場合に、ユーザーは「３７５」と描くことができる。
【０２１０】
ユーザーによる入力に従って、タッチセンサ２２４は、この入力の表示を、熱源システム４６のプロセッサ５８に送信することができる。この表示は、熱源５０により提供される所望のエネルギー量に関するユーザー入力を、プロセッサ５８に決定させるデータ（またはその他の情報）とすることができる。例えば、この表示はタッチセンサ２２４により検出される(自己)電気容量の変化とすることが可能で、あるいはプロセッサ５８がタッチセンサ２２４により検出される電気容量の変化を測定するために使用することのできる信号またはポインタ（または他のタイプのデータ）とすることが可能である。このような実施例では、プロセッサ５８がこの表示を使用して、ユーザーがタッチスクリーン２２４にタッチした場所を測定し、ユーザーのタッチに関連付けられたエネルギー量（ユーザーが所望とするエネルギー量）を測定することができ、またプロセッサ５８は熱源５０により提供されるエネルギー量をユーザーが所望とするエネルギー量に調節することができる。
【０２１１】
別の実施例では、この表示はユーザーがタッチスクリーン２２４にタッチした位置（または検知されたタッチに関連付けされたエネルギー量（そのもの））の識別標識とすることが可能であって、あるいはこの表示は、ユーザーがタッチスクリーン２２４にタッチした場所に係る識別標識を判断するためにプロセッサ５８が使用することのできる信号またはポインタ（または他のタイプのデータ）とすることが可能である。このような実施例では、タッチセンサ２２４は、表示を判断してこれをプロセッサ５８に送信する自身の制御部(またはプロセッサ)を含むことができる。さらには、このような実施例では、プロセッサ５８は、この表示を用いてユーザーのタッチに関連したエネルギー量（例えば、ユーザーが所望するエネルギー量）を判断することが可能であって、また熱源５０により提供されるエネルギー量をユーザーが所望とするエネルギー量に調節することができる。
【０２１２】
表示が受信された後、プロセッサ５８は、熱源５０により提供されるエネルギー量を調節できるようになる。例えば、ユーザーがタッチセンサ２２４を使用して、熱源５０が最大出力の７０％の出力でエネルギーを提供する旨を入力すると、熱源システムは（プロセッサ５８を利用して）、熱源５０により提供されるエネルギー量を最大出力の７０％の出力に調節することができる。熱源５０により提供されるエネルギー量の調節に加えて、熱源システム４６は、ユーザーインターフェースシステム５６に、熱源５０により提供されるエネルギー量の表示を送信することもできる。例えば、熱源システム４６は、ユーザーインターフェースシステム５６に、熱源５０により提供される最大出力の７０％の出力である旨の表示を送信することができる。この表示は、ユーザーインターフェースシステム５６(例えば、ユーザーインターフェースシステム５６のプロセッサまたは制御部など)が熱源５０により提供されるエネルギー量を判断するためのデータ（その他の情報）とすることができる。例えば表示は、エネルギー量そのもの（例えば、最大出力の７０％の出力または華氏３７５度、等）とすることもできるし、あるいはユーザーインターフェースシステム５６が熱源５０により提供されるエネルギー量を判断するために使用可能な信号あるいはポインタ（他のタイプのデータ）とすることができる。別の実施例では、表示は、特定数量の（特定部分等の）光源システム２１２をオンにするため（あるいは特定数量の光源システム２１２をオンにさせるため）の、ユーザーインターフェースシステム５６（例えば、ユーザーインターフェースシステム５６のプロセッサまたは制御部など）への一以上の信号とすることができる。さらなる実施例として、プロセッサ５８が光源２１６を制御している場合、この表示は、特定数量の（あるいは特定部分の）光源システム２１２をオンにする一以上の信号とすることができる。
【０２１３】
熱源５０により提供されるエネルギー量の表示（例えば、熱源５０により提供される最大出力の７０％の出力である旨の表示）に基づいて光源システム１１２は発光可能であって、これにより熱源５０により提供されるエネルギー量の視覚表現が形成される
【０２１４】
ユーザーインターフェースシステム５６（上述の通り）と熱源システム４６の構成部品により実行される動作は、熱源５０により提供されるエネルギー量の追加的な手動入力などの調理プロセスの各ステップに対して継続させることができる。その際、縦バーの視覚表現は、熱源５０により提供されるエネルギー量が変動することに伴い、ユーザーに対して表示されている表示を０個の縦バーから１０個の縦バーまでの間で変動させることができる。さらに、エネルギー量の手動入力に関する動作について説明がなされてきたが、無線装置１４からの調理指示７０を用いる等の自動調理ステップを用いることによって、調理プロセスに係る一以上の追加ステップを進めることができる。これに加えて、各構成部品により実行される動作として、測定センサ９０（上述の通り）からの情報を受信（または考慮）することをさらに含むことが可能であって、また測定情報７４（これも上述の通り）に基づいて熱源９０により提供されるエネルギー量をさらに調節することができる。
【０２１５】
熱源システム４６は、１個のユーザーインターフェースシステム５６のみを有するものとして説明されてきたが、熱源システム４６には任意数のユーザーインターフェースシステム５６が含まれていてもよく、また各ユーザーインターフェースシステム５６のそれぞれに、熱源システム４６の熱源を任意数だけ使用することができる。例えば、熱源システム４６に１を超える熱源５０（２以上のガスバーナーを含むストーブトップ加熱器、等）が含まれている場合、熱源システム４は複数のユーザーインターフェースシステム５６を備えることが可能であって、各々のユーザーインターフェースシステム５６に２以上の熱源５０を使用することができる（例えば、２つのユーザーインターフェースシステム５６と４つの熱源５０、４つのユーザーインターフェースシステム５６と４つの熱源５０、等）。場合によっては、熱源システム４６は単一のユーザーインターフェースシステム５６を有することができて、これを全ての熱源５０に使用することができる（例えば、１つのユーザーインターフェースシステム５６と４つの熱源５０、等）。
【０２１６】
熱源システム４６(および／または、ユーザーインターフェースシステム５６)、熱源システム４６(および／または、ユーザーインターフェースシステム５６)の構成部品、熱源システム４６(および／または、ユーザーインターフェースシステム５６)の機能に対して、明細書の範囲を逸脱することなく、改良、追加および／または置換を行うことができる。加えて、熱源システム４６（またはユーザインタフェースシステム５６）は、図１A〜図９Cに関して本明細書中で説明あるいは引用された、１以上の（またはすべての）構成部品、機能、および／または能力を有することができる。
【０２１７】
本明細書は、種々の非限定的かつ非網羅的な実施形態または実施例を参照して記載されている。しかしながら、当業者であれば、本明細書の範囲内で、開示された実施形態または実施例のいずれか（またはその一部）に、様々な置換、改良、または組み合わせを行うことができることを認識するであろう。したがって、本明細書は、本明細書に明示的に記載されていない追加の実施形態または実施例をサポートすることが意図され、理解されよう。このような実施形態または実施例は、本明細書に記載されている様々な非限定的かつ非網羅的な実施形態または例に係る、例えば、開示されたステップ、部品、構成要素、特徴、態様、特徴、制限などのいずれかを組み合わせ、修正し、または再編成することによって得ることができる。このようにして、出願人は、審査手続き中に請求項を補正して本明細書に記載されている様々な特徴を追加する権利を留保する。
【図１Ａ】
2019509454.tif 000004
【図１Ｂ】
2019509454.tif 000005
【図２】
2019509454.tif 000006
【図３】
2019509454.tif 000007
【図４】
2019509454.tif 000008
【図５】
2019509454.tif 000009
【図６】
2019509454.tif 000010
【図７】
2019509454.tif 000011
【図８】
2019509454.tif 000012
【図９Ａ】
2019509454.tif 000013
【図９Ｂ】
2019509454.tif 000014
【図９Ｃ】
2019509454.tif 000015
【国際調査報告】
2019509454.tif 000016
2019509454.tif 000017